(57)【要約】      （修正有）【課題】１つのタイムスロット上の複数のユーザ（ＭＵＲＯＳ）を可能にすることによってダウンリンクの高度な受信性能（ＤＡＲＰ）を改善する。【解決手段】遠隔局に対してトレーニングシーケンスセット情報をシグナリングするための手段および命令を備え１７１０、新しいセットのトレーニングシーケンスがサポートされるかを表示している遠隔局からのシグナリングを受信することと、確立されている通信チャネルについて遠隔局によって使用されるべきトレーニングシーケンスセットをシグナリングするためにチャネル記述を使用すること１７２０と、を備える。【選択図】図３６
2014140232.tif 000002
【特許請求の範囲】
【請求項１】
遠隔局に対してトレーニングシーケンスセット情報をシグナリングする方法であって、
新しいセットのトレーニングシーケンスがサポートされるかを表示する遠隔局からのシグナリングを受信することと、
確立されている通信チャネルについて前記遠隔局によって使用されるべき前記トレーニングシーケンスセットをシグナリングするためにチャネル記述を使用することと、
を備える方法。
【請求項２】
前記チャネル記述は、チャネル記述情報エレメント識別子である、請求項１に記載の方法。
【請求項３】
前記チャネル記述情報エレメント識別子は、チャネルタイプおよびＴＤＭＡオフセットフィールドを有する、請求項２に記載の方法。
【請求項４】
前記チャネルタイプおよびＴＤＭＡオフセットは下記のように符号化され、
Ｓ０００１  ＴＣＨ／Ｆ＋ＡＣＣＨＳ
Ｓ００１Ｔ  ＴＣＨ／Ｈ＋ＡＣＣＨＳ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは、使用する前記トレーニングシーケンスセットを表示しており、ＳＤＣＣＨ／４は、スタンドアロン専用制御チャネル／チャネル４であり、ＳＡＣＣＨ／Ｃ４は、スローな、ＳＤＣＣＨ／４  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８  関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項３に記載の方法。
【請求項５】
前記チャネルタイプおよびＴＤＭＡオフセットフィールドのビットポジション８は、使用する前記トレーニングシーケンスセットを表示する、請求項３に記載の方法。
【請求項６】
前記チャネルタイプおよびＴＤＭＡオフセットは下記のように符号化され、
１１０００  代替／新規の前記トレーニングシーケンスセットを使用しているＴＣＨ／Ｆ＋ＡＣＣＨｓ
１１１０Ｔ  代替／新規の前記トレーニングシーケンスセットを使用しているＴＣＨ／Ｈ＋ＡＣＣＨｓ
１１１１１  リザーブされている
なお、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項３に記載の方法。
【請求項７】
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている
なお、ＴＣＨ／ＡＦＳは、トラヒックチャネル／適応フルレートスピーチであり、ＴＣＨ／ＦＳは、トラヒックチャネル／フルレートスピーチであり、ＴＣＨ／ＨＳは、トラヒックチャネル／ハーフレートスピーチであり、ＡＣＣＨは、関連制御チャネルである、請求項３に記載の方法。
【請求項８】
レガシ前記トレーニングシーケンスセットが使用されることとなる場合には前記Ｓビットは０であり、新しい前記トレーニングシーケンスセットが使用されることとなる場合には、前記Ｓビットは１である、請求項４に記載の方法。
【請求項９】
レガシ前記トレーニングシーケンスセットが使用されることとなる場合には前記ビットポジション８は０であり、新しい前記トレーニングシーケンスセットが使用されることとなる場合には、前記ビットポジション８は１である、請求項５に記載の方法。
【請求項１０】
前記符号化は、新しい前記トレーニングシーケンスセットが使用されることとなる場合には使用される、請求項６に記載の方法。
【請求項１１】
前記符号化は、新しい前記トレーニングシーケンスセットが使用されることとなる場合には使用される、請求項７に記載の方法。
【請求項１２】
遠隔局に対してトレーニングシーケンスセット情報をシグナリングする装置であって、
新しいセットのトレーニングシーケンスがサポートされるかを表示する遠隔局からのシグナリングを受信するための手段と、
確立されている通信チャネルについて前記遠隔局によって使用されるべき前記トレーニングシーケンスセットをシグナリングするためにチャネル記述を使用するための手段と、
を備える装置。
【請求項１３】
前記チャネル記述は、チャネル記述情報エレメント識別子である、請求項１２に記載の装置。
【請求項１４】
前記チャネル記述情報エレメント識別子は、チャネルタイプおよびＴＤＭＡオフセットフィールドを有する、請求項１３に記載の装置。
【請求項１５】
前記チャネルタイプおよびＴＤＭＡオフセットは下記のように符号化され、
Ｓ０００１  ＴＣＨ／Ｆ＋ＡＣＣＨｓ
Ｓ００１Ｔ  ＴＣＨ／Ｈ＋ＡＣＣＨｓ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは使用する前記トレーニングシーケンスを表示しており、ＳＤＣＣＨ／４は、スタンドアロン専用制御チャネル／チャネル４であり、ＳＡＣＣＨ／Ｃ４は、スローな、ＳＤＣＣＨ／４  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８  関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項１４に記載の装置。
【請求項１６】
前記チャネルタイプおよびＴＤＭＡオフセットフィールドのビットポジション８は、使用する前記トレーニングシーケンスセットを表示する、請求項１４に記載の装置。
【請求項１７】
前記チャネルタイプおよびＴＤＭＡオフセットは下記のように符号化され、
１１０００  代替／新規の前記トレーニングシーケンスセットを使用しているＴＣＨ／Ｆ＋ＡＣＣＨｓ
１１１０Ｔ  前記代替／新規トレーニングシーケンスセットを使用しているＴＣＨ／Ｈ＋ＡＣＣＨｓ
１１１１１  リザーブされている
なお、前記符号化は、使用する代替／新規トレーニングシーケンスセットを表示しており、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項１４に記載の装置。
【請求項１８】
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている，
なお、前記符号化は、使用する代替／新しいトレーニングシーケンスセットを表示しており、ＴＣＨ／ＡＦＳは、トラヒックチャネル／適応フルレートスピーチであり、ＴＣＨ／ＦＳは、トラヒックチャネル／フルレートスピーチであり、ＴＣＨ／ＨＳは、トラヒックチャネル／ハーフレートスピーチであり、ＡＣＣＨは、関連制御チャネルである、請求項１４に記載の装置。
【請求項１９】
レガシ前記トレーニングシーケンスセットが使用されることとなる場合には前記Ｓビットは０であり、新しい前記トレーニングシーケンスセットが使用されることとなる場合には、前記Ｓビットは１である、請求項１６に記載の装置。
【請求項２０】
レガシ前記トレーニングシーケンスセットが使用されることとなる場合には前記ビットポジション８は０であり、新しい前記トレーニングシーケンスセットが使用されることとなる場合には、前記ビットポジション８は１である、請求項１６に記載の装置。
【請求項２１】
前記符号化は、新しい前記トレーニングシーケンスセットが使用されることとなる場合には使用される、請求項１７に記載の装置。
【請求項２２】
前記符号化は、新しい前記トレーニングシーケンスセットが使用されることとなる場合には使用される、請求項１８に記載の装置。
【請求項２３】
基地局９２０であって、
コントローラプロセッサ９６０と、
アンテナ９２５と、
前記基地局アンテナ９２５に操作的に接続されるデュプレクサスイッチ９２６と、
前記デュプレクサスイッチ９２６に操作的に接続される受信機フロントエンド９２４と、
前記受信機フロントエンド９２４に操作的に接続される受信機復調器９２３と、
前記受信機復調器９２３と前記コントローラプロセッサ９６０とに操作的に接続されるチャネル復号器およびデインタリーバ９２２と、
前記コントローラプロセッサ９６０に操作的に接続される基地局コントローラインターフェース９２１と、
前記コントローラプロセッサ９６０に操作的に接続される符号器およびインタリーバ９２９と、
前記符号器およびインタリーバ９２９に操作的に接続される送信機変調器９２８と、
前記送信機変調器９２８に操作的に接続される、また、前記デュプレクサスイッチ９２６に操作的に接続される、送信機フロントエンドモジュール９２７と、
前記コントローラプロセッサ９６０と、前記チャネル復号器およびデインタリーバ９２２、前記受信機復調器９２３、前記受信機フロントエンド９２４、前記送信機変調器９２８、そして前記送信機フロントエンドモジュール９２７との間で、操作的に接続されるデータバス９７０と、
前記メモリ９６２において保存されるソフトウェア９６１と、
を備え、前記ソフトウェアは、遠隔局に対してトレーニングシーケンスセット情報をシグナリングする命令を備え、
新しいセットのトレーニングシーケンスがサポートされるかを表示する遠隔局からのシグナリングを受信することと、
確立されている通信チャネルについて前記遠隔局によって使用されるべき前記トレーニングシーケンスセットをシグナリングするためにチャネル記述を使用することと、
を備える、
基地局。
【請求項２４】
前記チャネル記述は、チャネル記述情報エレメント識別子である、請求項２３に記載の基地局。
【請求項２５】
前記チャネル記述情報エレメント識別子は、チャネルタイプおよびＴＤＭＡオフセットフィールドを有する、請求項２４に記載の基地局。
【請求項２６】
前記チャネルタイプおよびＴＤＭＡオフセットは下記のように符号化され、
Ｓ０００１  ＴＣＨ／Ｆ＋ＡＣＣＨｓ
Ｓ００１Ｔ  ＴＣＨ／Ｈ＋ＡＣＣＨｓ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは、使用するトレーニングシーケンスセットを表示し、ＳＤＣＣＨ／４は、スタンドアロン専用制御チャネル／チャネル４であり、ＳＡＣＣＨ／Ｃ４は、スローな、ＳＤＣＣＨ／４  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８  関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項２５に記載の基地局。
【請求項２７】
前記チャネルタイプおよびＴＤＭＡオフセットのビットポジション８は、使用する前記トレーニングシーケンスセットを表示する、請求項２５に記載の基地局。
【請求項２８】
前記チャネルタイプおよびＴＤＭＡオフセットは下記のように符号化され、
１１０００  代替／新規の前記トレーニングシーケンスセットを使用しているＴＣＨ／Ｆ＋ＡＣＣＨｓ
１１１０Ｔ  前記代替／新規トレーニングシーケンスセットを使用しているＴＣＨ／Ｈ＋ＡＣＣＨｓ
１１１１１  リザーブされている
なお、前記符号化は、使用する代替／新規トレーニングシーケンスセットを表示し、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項２５に記載の基地局。
【請求項２９】
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている
なお、前記符号化は、使用する代替／新規トレーニングシーケンスセットを表示し、ＴＣＨ／ＡＦＳは、トラヒックチャネル／適応フルレートスピーチであり、ＴＣＨ／ＦＳは、トラヒックチャネル／フルレートスピーチであり、ＴＣＨ／ＨＳは、トラヒックチャネル／ハーフレートスピーチであり、ＡＣＣＨは、関連制御チャネルである、請求項２５に記載の基地局。
【請求項３０】
レガシ前記トレーニングシーケンスセットが使用されることとなる場合には前記Ｓビットは０であり、新しい前記トレーニングシーケンスセットが使用されることとなる場合には、前記Ｓビットは１である、請求項２６に記載の基地局。
【請求項３１】
レガシ前記トレーニングシーケンスセットが使用されることとなる場合には前記ビットポジション８は０であり、新しい前記トレーニングシーケンスセットが使用されることとなる場合には、前記ビットポジション８は１である、請求項２７に記載の基地局。
【請求項３２】
前記符号化は、新しい前記トレーニングシーケンスセットが使用されることとなる場合には使用される、請求項２８に記載の基地局。
【請求項３３】
前記符号化は、新しい前記トレーニングシーケンスセットが使用されることとなる場合には使用される、請求項２９に記載の基地局。
【請求項３４】
コンピュータプログラムプロダクトであって、コンピュータ可読媒体を備え、前記コンピュータ可読媒体は、
コンピュータに、遠隔局に対してトレーニングシーケンスセット情報をシグナリングさせるためのコード、
を備え、
新しいセットのトレーニングシーケンスがサポートされるかを表示する遠隔局からのシグナリングを受信することと、
確立されている通信チャネルについて遠隔局によって使用されるべき前記トレーニングシーケンスセットをシグナリングするためにチャネル記述を使用することと、
を備える、
コンピュータプログラムプロダクト。
【請求項３５】
前記チャネル記述は、チャネル記述情報エレメント識別子である、請求項３４に記載のコンピュータプログラムプロダクト。
【請求項３６】
前記チャネル記述情報エレメント識別子は、チャネルタイプおよびＴＤＭＡオフセットフィールドを有する、請求項３５に記載のコンピュータプログラムプロダクト。
【請求項３７】
前記チャネルタイプおよびＴＤＭＡオフセットは下記のように符号化され、
Ｓ０００１  ＴＣＨ／Ｆ＋ＡＣＣＨｓ
Ｓ００１Ｔ  ＴＣＨ／Ｈ＋ＡＣＣＨｓ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは、使用する前記トレーニングシーケンスを表示し、ＳＤＣＣＨ／４は、スタンドアロン専用制御チャネル／チャネル４、ＳＡＣＣＨ／Ｃ４は、スローな、ＳＤＣＣＨ／８  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８
関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項３６に記載のコンピュータプログラムプロダクト。
【請求項３８】
前記チャネルタイプおよびＴＤＭＡオフセットフィールドのビットポジション８は、使用する前記トレーニングシーケンスセットを表示する、請求項３６に記載のコンピュータプログラムプロダクト。
【請求項３９】
前記チャネルタイプおよびＴＤＭＡオフセットは下記のように符号化され、
１１０００  代替／新規の前記トレーニングシーケンスセットを使用しているＴＣＨ／Ｆ＋ＡＣＣＨｓ
１１１０Ｔ  前記代替／新規トレーニングシーケンスセットを使用しているＴＣＨ／Ｈ＋ＡＣＣＨｓ
１１１１１  リザーブされている
なお、前記符号化は使用されるものとする代替／新規トレーニングシーケンスセットを表示し、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項３６に記載のコンピュータプログラムプロダクト。
【請求項４０】
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている
なお、前記符号化は、使用される代替／新規トレーニングシーケンスセットを表示し、TCH/AFSは、トラヒックチャネル/適応フルレートスピーチであり、TCH/FSは、トラヒックチャネルフルレートスピーチであり、TCH/HSは、トラヒックチャネルハーフレートスピーチであり、ACCHは、関連制御チャネルである、請求項３６に記載のコンピュータプログラムプロダクト。
【請求項４１】
レガシ前記トレーニングシーケンスセットが使用されることとなる場合には前記Ｓビットは０であり、新しい前記トレーニングシーケンスセットが使用されることとなる場合には、前記Ｓビットは１である、請求項３７に記載のコンピュータプログラムプロダクト。
【請求項４２】
レガシ前記トレーニングシーケンスセットが使用されることとなる場合には前記ビットポジション８は０であり、新しい前記トレーニングシーケンスセットが使用されることとなる場合には、前記ビットポジション８は１である、請求項３８に記載のコンピュータプログラムプロダクト。
【請求項４３】
前記符号化は、新しい前記トレーニングシーケンスセットが使用されることとなる場合には使用される、請求項３９に記載のコンピュータプログラムプロダクト。
【請求項４４】
前記符号化は、新しい前記トレーニングシーケンスセットが使用されることとなる場合には使用される、請求項１８に記載のコンピュータプログラムプロダクト。
【発明の詳細な説明】
【技術分野】
【０００１】
本発明は、一般的には無線通信システム(radio communications)の分野に関し、具体的には、無線通信システムにおけるチャネルキャパシティの増加に関する。
【背景】
【０００２】
より多くの人々が、音声通信だけでなくデータ通信に、例えばモバイル電話のようなモバイル通信デバイスを使用している。ＧＥＲＡＮ（ＧＳＭ（登録商標）／ＥＤＧＥ無線アクセスネットワーク、GSM/EDGE Radio Access Network）仕様では、ＧＰＲＳとＥＧＰＲＳは、データサービスを提供する。ＧＥＲＡＮのための標準規格は３ＧＰＰ(第３世代パートナーシッププロジェクト)によって保持される。ＧＥＲＡＮは、ＧＳＭ（Global System for Mobile Communications)の一部である。より具体的には、ＧＥＲＡＮは、基地局（ＡｔｅｒインタフェースとＡｂｉｓインタフェース）と基地局コントローラ（Ａインタフェースなど）をつなぐネットワークと一緒に備えているＧＳＭ／ＥＤＧＥの無線部分である。ＧＥＲＡＮは、ＧＳＭネットワークのコアを表わす。ＰＳＴＮおよびインターネット間で、そして、モバイル局を含む遠隔局間で、電話呼び出しとパケットデータを送る(routes)。ＵＭＴＳ(ユニバーサルモバイルテレコミュニケーションシステム、Universal Mobile Telecommunications System)標準規格は、より大きい帯域幅とより高いデータレートを利用する第三世代通信システム用にＧＳＭシステムで採択されている。ＧＥＲＡＮはまた、組み合わせられたＵＭＴＳ／ＧＳＭネットワークの一部である。
【０００３】
下記の問題は今日のネットワークに存在する。第1に、キャパシティの問題であり、より多くのトラヒックチャネルが必要とされる。アップリンク(ＵＬ)上のデータスループットの需要よりもダウンリンク(ＤＬ)上のデータスループットのより高い需要があるので、ＤＬの使用とＵＬの使用量は、つりあいがとれていない。例えば、ＦＴＰトランスファを行っているモバイル局（ＭＳ）は、４Ｄ１Ｕを与えられるようであり、そしてそれは、フルレートについては４つのユーザリソースをとり、ハーフレートについては８つのユーザリソースをとる、ということを意味することができる。現状では、ネットワークは、音声または１データ呼び出しに関して４または８の発呼者側（caller）に提供するかどうかという決定を行わなくてはならない。データ呼び出しと音声呼び出しが同時に行われる、ＤＴＭ(デュアルトランスファモード、dual transfer mode)を可能にするために、より多くのリソースが必要とされるであろう。
【０００４】
第２に、ネットワークはデータ呼び出しをサービス提供するが、多くの新しいユーザは音声呼び出しも欲している場合には、新しいユーザは、ＵＬリソースとＤＬリソースの両方が利用可能でないかぎり、サービスを得ない。したがって、いくらかのＵＬリソースは無駄になることもあり得る。呼び出しを行うことを待機している顧客がいて、サービスが行われることができない、その一方で、ＵＬは、利用可能であるが、ＤＬをペアにすることが欠けていることにより、無駄となっている(wasted)。
【０００５】
第３に、マルチタイムスロットモードで作動しているＵＥが近隣セルをスキャンし、それらをモニタするのに時間が少なく、そしてそれは、呼び出しドロップ(call drops)および性能の問題を引き起こす可能性がある。
【０００６】
図１は、ワイヤレス通信システムにおける送信機１１８と受信機１５０のブロック図を示す。ダウンリンクの場合、送信機１１８は、基地局の一部であってもよく、受信機１５０は、ワイヤレスデバイスの一部（遠隔局）であってもよい。アップリンクの場合、送信機１１８は、ワイヤレスデバイスの一部であってもよく、受信機１５０は、基地局の一部であってもよい。基地局は、一般的にはワイヤレスデバイスと通信する固定局であり、ノードＢ、発展型ノードＢ(eNode B)、アクセスポイントなどと呼ばれる。ワイヤレスデバイスは、静止またはモバイルであってもよく、また、遠隔局、モバイル局、ユーザ機器、モバイル機器、端末、遠隔端末、アクセス端末、局などと呼ばれることができる。ワイヤレスデバイスは、セルラ電話、携帯情報端末（ＰＤＡ）、ワイヤレスモデム、ワイヤレス通信デバイス、ハンドヘルドデバイス、加入者ユニット、ラップトップコンピュータなどであってもよい。
【０００７】
送信機１１８では、送信（ＴＸ）データプロセッサ１２０は、データを受信し処理し（例、フォーマット化し、符号化し、インタリーブし）、符号化されたデータを提供する。変調器１３０は、符号化されたデータに対して変調を実行し、変調信号を提供する。変調器１３０は、ＧＳＭ用のＧＭＳＫ(Gaussian minimum shift keying)、ＥＤＧＥ(Enhanced Data rates for Global Evolution)用の８−ＰＳＫ(8-ary phase shift keying)等を実行することができる。ＧＭＳＫは、連続位相変調プロトコル(continuous phase modulation protocol)であり、８−ＰＳＫはデジタル変調プロトコルである。送信機ユニット（ＴＭＴＲ）１３２は、変調された信号を条件づけ（例、フィルタにかけ、増幅し、そしてアップコンバートする）、そして、ＲＦ変調された信号を生成し、そしてそれは、アンテナ１３４を介して送信される。
【０００８】
受信機１５０において、アンテナ１５２は、送信機１１０および他の送信機からＲＦ変調信号を受信する。アンテナ１５２は、受信機ユニット（ＲＣＶＲ）１５４に対して、受信されるＲＦ信号を提供する。受信機ユニット１５４は、受信されたＲＦ信号を条件づけ（例、フィルタにかけ、増幅し、そしてダウンコンバートする）、その条件づけられた信号をデジタル化し、そして、サンプルを提供する。復調器１６０は、下記で記載されるサンプルを処理し、そして、復調されるデータを提供する。受信（ＲＸ）データプロセッサ１７０は、復調データを処理し（例、デインタリーブし、復号する）、復号されたデータを提供する。一般的に、復調器１６０とＲＸデータプロセッサ１７０による処理は、送信機１１０における、それぞれ、変調器１３０とＴＸデータプロセッサ１２０による処理の補足(complementary)である。
【０００９】
コントローラ/プロセッサ１４０および１８０は、それぞれ、送信機１１８と受信機１５０と、におけるオペレーションを命令する。メモリ１４２と１８２は、それぞれ、コンピュータソフトウェアの形でプログラムコードと、送信機１１８と受信機１５０とによって使用されるデータと、を保存する。
【００１０】
図２は、図１の受信機１５０における、受信機ユニット１５４と復調器１６０の設計のブロック図を示す。受信機ユニット１５４内で、受信チェイン４４０は、受信されるＲＦ信号を処理し、そして、ＩｂｂとＱｂｂと示される、Ｉ及びＱのベースバンド信号を提供しする。受信チェイン４４０は、低雑音増幅、アナログフィルタリング、直交ダウンコンバージョン(quadrature downconversion)などを実行することができる。アナログ・ツー・デジタルコンバータ（ＡＤＣ）４４２は、サンプリングレートｆａｄｃでＩ及びＱのベースバンド信号をデジタル化し、そして、ＩａｄｃとＱａｄｃと示される、Ｉ及びＱサンプルを提供する。一般に、ＡＤＣサンプリングレートｆａｄｃは、いずれの整数または非整数の係数(factor)によってシンボルレートｆｓｙｍに関連することができる。
【００１１】
復調器１６０内で、プレプロセッサ４２０は、ＡＤＣ４４２から、Ｉ及びＱサンプル上でプレ処理を実行する。例えば、プレプロセッサ４２０は、直流（ＤＣ）オフセットを取り除く、周波数オフセットを取り除く、などをすることができる。入力フィルタ４２２は、特定周波数レスポンスに基づいてプレプロセッサ４２０からのサンプルをフィルタにかけ、そして、ＩｉｎとＱｉｎと示される入力Ｉ及びＱサンプルを提供する。フィルタ４２２は、ジャマーに加え、ＡＤＣ４４２によるサンプリングから生じるイメージを圧縮するために、Ｉ及びＱサンプルをフィルタにかけることができる。フィルタ４２２はまた、サンプルレート変換を実行することができ、例えば２４ｘオーバーサンプリングから２ｘオーバーサンプリングへと下げる。データフィルタ４２４は、別の周波数レスポンスに基づいて入力フィルタ４２２から入力Ｉ及びＱサンプルをフィルタにかけ、そして、Ｉｏｕｔ及びＱｏｕｔと示される、出力Ｉ及びＱサンプルを提供する。フィルタ４２２とフィルタ４２４は、有限インパルス応答(finite impulse response)(ＦＩＲ)フィルタ、無限インパルス応答(infinite impulse response)（ＩＩＲ）フィルタ、または、他のタイプのフィルタ、でインプリメントされることができる。フィルタ４２２及びフィルタ４２４の周波数レスポンスは、よい性能を達成するために選択されることができる。一設計では、フィルタ４２２の周波数レスポンスは固定(fixed)であり、フィルタ４２４の周波数レスポンスは設定可能(configurable)である。
【００１２】
隣接するチャネル干渉(adjacent channel interference)（ＡＣＩ）検出器４３０は、フィルタ４２２から入力Ｉ及びＱのサンプルを受信し、受信されるＲＦ信号においてＡＣＩを検出し、フィルタ４２４に対してＡＣＩインジケータを提供する。ＡＣＩインジケータは、ＡＣＩが存在するかどうかを表示することができ、存在する場合には、ＡＣＩが＋２００ＫＨｚに中心があるより高いＲＦチャネルおよび／または-２００ＫＨｚに中心があるより低いＲＦチャネルに起因するかどうかを表示する。フィルタ４２４の周波数レスポンスは、よい性能を達成するために、下記で説明されるように、ＡＣＩインジケータに基づいて、調節されることができる。
【００１３】
等化器/検出器４２６は、フィルタ４２４から出力ＩおよびＱサンプルを受信し、そして、等化、整合されるフィルタリング、検出、および／または他の処理をこれらのサンプルに対して実行する。例えば、等化器／検出器４２６は、ＩおよびＱサンプルのシーケンスとチャネル推定が与えられると、最も送信される可能性があるシンボルのシーケンスを決定する最大可能性シーケンス推定器(maximum likelihood sequence estimator)(ＭＬＳＥ)をインプリメントすることができる。
【００１４】
ＧＳＭ(Global System for Mobile Communications)は、セルラの、ワイヤレス通信、において広まっている標準規格である。ＧＳＭは、スペクトラムリソースを共有するために、時分割多元接続（ＴＤＭＡ）と周波数分割多元接続（ＦＤＭＡ）の組み合わせを利用する。ＧＳＭネットワークは、多数の周波数帯で、一般的に動作する。例えば、アップリンク通信の場合、ＧＳＭ−９００は、８９０-９１５ＭＨｚ帯で無線スペクトラムを一般的に使用する（モバイル局とベーストランシーバ局間）。ダウンリンク通信の場合、ＧＳＭ９００は、９３５−９６０ＭＨｚ帯を使用する（基地局とモバイル局間）。さらに、各周波数帯は、２００ｋＨｚ間隔で１２４ＲＦチャネルを提供する、複数２００ｋＨｚキャリア周波数に分割される。ＧＳＭ−１９００は、１８５０−１９１０ＭＨｚ帯をアップリンクに使用し、１９３０−１９９０ＭＨｚ帯をダウンリンクに使用する。ＧＳＭ９００のように、ＦＤＭＡは、複数２００ｋＨｚ広域キャリア周波数へと、アップリンクとダウンリンクの双方にＧＳＭ−１９００スペクトラムを分割する。同様に、ＧＳＭ８５０は、８２４−８４９ＭＨｚ帯をアップリンクに使用し、８６９−８９４ＭＨｚ帯をダウンリンクに使用しており、ＧＳＭ１８００は、１７１０−１７８５ＭＨｚ帯をアップリンクに使用し、１８０５−１８８０ＭＨｚ帯をダウンリンクに使用する。
【００１５】
ＧＳＭにおける各チャネルは、絶対無線周波数チャネル数(Absolute Radio Frequency Channel Number)すなわちＡＲＦＣＮによって識別される特定の絶対無線周波数チャネルによって、識別される。例えば、ＡＲＦＣＮ１−１２４は、ＧＳＭ９００のチャネルに割り当てられ、ＡＲＦＣＮ５１２−８１０は、ＧＳＭ１９００のチャネルに割り当てられる。同様に、ＡＲＦＣＮ１２８−２５１は、ＧＳＭ８５０のチャネルに割り当てられ、ＡＲＦＣＮ５１２−８８５は、ＧＳＭ１８００のチャネルに割り当てられる。また、各基地局は、１以上のキャリア周波数を割り当てられる。各キャリア周波数は、ＴＤＭＡを使用して８つのタイムスロットに分割されるので（タイムスロット０〜７とラベル付けされる）、８つの連続タイムスロットは、持続時間４．６１５ｍｓで１つのＴＤＭＡフレームを形成する。物理チャネルは、ＴＤＭＡフレーム内で、１つのタイムスロットを占める。各アクティブなワイヤレスデバイス／ユーザは、呼び出しの持続時間の間、１以上のタイムスロットインデクスを割り当てられる。各ワイヤレスデバイスのユーザ特有データは、そのワイヤレスデバイスに割り当てられるタイムスロット（単数または複数）において、そして、トラヒックチャネルのために使用されるＴＤＭＡフレームにおいて、送信される。
【００１６】
フレーム内の各タイムスロットは、ＧＳＭにおけるデータの「バースト(burst)」を送信するために使用される。ときどき、用語タイムスロットとバーストは、互換性をもって使用されることができる。各バーストは、２つのテイルフィールド、２つのデータフィールド、トレーニングシーケンス（あるいはミッドアンプル）フィールド、そしてガード期間（ＧＰ）を含む。各フィールドにおけるシンボルの数は、括弧の中に示されている。バーストは、テイル、データおよびミッドアンプルのフィールドについて１４８シンボルを含む。ガード期間において、シンボルは送信されない。特定のキャリア周波数のＴＤＭＡフレームは、番号付けられ、そして、マルチフレームと呼ばれる２６または５１のＴＤＭＡフレームのグループにおいて形成される。
【００１７】
図３は、ＧＳＭシステムにおける例示的なフレームとバーストフォーマットを示す。送信用のタイムラインは、マルチフレームへと分割される。４つのトラヒックチャネルはユーザ特有データを送信するために使用され、この例における各マルチフレームは２６ＴＤＭＡフレームを含み、そしてそれらは、ＴＤＭＡフレーム０−２５とラベル付けされる。トラヒックチャネルは、各マルチフレームの、ＴＤＭＡフレーム０〜１１で、そして、ＴＤＭＡフレーム１３〜２４で、送信される。制御チャネルは、ＴＤＭＡフレーム１２で送信される。データはアイドルＴＤＭＡフレーム２５において送信されず、そしてそれは、近隣基地局のための測定を行うためにワイヤレスデバイスによって使用される。
【００１８】
図４は、ＧＳＭシステムにおける例示的なスペクトラムを示す。この例では、５つのＲＦ変調信号が、２００ｋＨｚごとに間隔を置かれる５つのＲＦチャネル上で送信される。対象のＲＦチャネルは、中心周波数０Ｈｚで示されている。２つの隣接するＲＦチャネルは、望ましいＲＦチャネルから＋２００ＫＨｚまた−２００ＫＨｚ離れた中心周波数を有する。次の２つの最も近いＲＦチャネル（ブロッカーまたは隣接していないＲＦチャネルと呼ばれる）は、望ましいＲＦチャネルの中心周波数から＋４００ＫＨｚまた−４００ＫＨｚ離れた中心周波数を有する。簡略化のため、図３で示されていない、スペクトラムにおける他のＲＦチャネルがあってもよい。ＧＳＭでは、ＲＦ変調信号は、fsym=１３０００／４０＝２７０．８キロシンボル／秒（Ｋｓｐｓ）のシンボルレートで生成され、最大１３５ＫＨｚの-３ｄＢの帯域幅を有する。したがって、隣接するＲＦチャネル上のＲＦ変調信号は、図４で示されているように、エッジで互いにオーバラップすることができる。
【００１９】
1以上の変調スキームは、音声、データ及び/または制御情報のような情報を通信するために、ＧＳＭで使用される。変調スキームの例は、ＧＭＳＫ(Gaussian Minimum Shift Keying)、Ｍ−ａｒｙ ＱＡＭ(Quadrature Amplitude Modulation)またはＭ−ａｒｙ ＰＳＫ (Phase Shift Keying)を含むことができ、なお、Ｍ＝２ｎであり、ｎは、特定変調スキームのシンボル期間内で符号化されるビットの数である。ＧＭＳＫは、２７０．８３キロビット／秒（Ｋｂｐｓ）の最大レートでの生の送信を可能にする一定のエンベロープバイナリ変調スキームである。
【００２０】
ＧＳＭは、標準音声サービスに効果的である。しかしながら、ハイフィデルティのオーディオおよびデータのサービスは、音声およびデータのサービスをトランスファするキャパシティに関しての増大された需要に起因して、より高いデータスループットレートを望む。キャパシティを増大させるために、ジェネラルパケット無線サービス(General Packet Radio Service)(ＧＰＲＳ)、ＥＤＧＥ(Enhanced Data rates for GSM Evolution)、およびＵＭＴＳ(Universal Mobile Telecommunications System)標準規格がＧＳＭシステムでは採択されている。
【００２１】
ジェネラルパケット無線サービス（ＧＰＲＳ）は、非音声サービスである。それは、情報がモバイル電話ネットワークにわたって送信され受信されることを可能にする。それは回路交換データ（ＣＳＤ）およびショートメッセージサービス（ＳＭＳ）を補う。ＧＰＲＳは、ＧＳＭと同じ変調スキームを利用する。ＧＰＲＳは、全体のフレーム（すべての８タイムスロット）が同時に単一モバイル局によって使用されることを可能にする。したがって、より高いデータスループットレートが達成可能である。
【００２２】
ＥＤＧＥ標準規格はＧＭＳＫ変調および８−ＰＳＫ変調の両方を使用する。さらに、変調タイプは、バーストからバーストへと変更されることができる。ＥＤＧＥにおける８−ＰＳＫ変調は、３π／８回転を備えた、リニアで、８レベル位相変調であり、ＧＭＳＫは、非リニアであり、ガウスパルス整形周波数変調である。しかしながら、ＧＳＭにおいて使用される特定ＧＭＳＫ変調は、リニア変調（すなわち、π／２回転を備えた２レベル位相変調）で近似されることができる。近似のＧＭＳＫのシンボルパルスと８−ＰＳＫのシンボルパルスは、同一である。
【００２３】
ＧＳＭ／ＥＤＧＥでは、周波数バースト(frequency burst)（ＦＢ）は、周波数オフセット推定および訂正を使用して、モバイル局（ＭＳ）がそれらのローカルオシレータ（ＬＯ）を基地局ＬＯに同期することを可能にするために、基地局（ＢＳ）によって定期的に送られる。これらのバーストはシングルトーンを備え、そしてそれは、すべての「０」ペイロードとトレーニングシーケンスに対応する。すべてのゼロペイロードの周波数バーストは、一定の周波数信号またはシングルトーンバーストである。パワーオンまたはキャンプオンモードにあるとき、または、ネットワークに最初にアクセスするとき、遠隔局は、キャリアのリストから周波数バーストを連続的に捜索する(hunts)。周波数バーストを検出すると、ＭＳは、周波数オフセットをそのノミナル周波数と比べて推定する、そしてそれは、キャリアから６７．７ＫＨｚ離れている。ＭＳ  ＬＯは、この推定された周波数オフセットを使用して訂正される。パワーオンモードにおいて、周波数オフセットは、＋／−１９ｋＨｚと同じくらいであることができる。ＭＳは、周波数バーストをモニタするために周期的にウェイクアップし、スタンバイモードでその同期化を保持する。スタンバイモードでは、周波数オフセットは±２ｋＨｚ内にある。
【００２４】
現代のモバイルセルラ電話は、従来の音声呼び出しとデータ呼び出しを提供することができる。両方のタイプの呼び出しの需要は、増加し続け、ネットワークキャパシティに対する需要が高まっている。ネットワークオペレータは、それらのキャパシティを増加させることによって、この需要に取り組んでいる。このことは、例えば、セルを、分割する、または、追加することによって、したがって、より多くの基地局を追加することによって、達成され、そしてそれは、ハードウェアコストを増加する。具体的には、小さいエリア内に配置されている多くのユーザまたは加入者が同時にネットワークにアクセスしたい、国際的な野球の試合または大規模なフェスティバルのような大きな行事の間の通常ない大きなピークの需要に対処するために、過度にハードウェアコストを増大させることなく、ネットワークキャパシティを増大させることは望ましい。第１の遠隔局が通信のためのチャネル（チャネル周波数とタイムスロットを備えているチャネル）を割り付けられるとき、第２の遠隔局は、第１の遠隔局がチャネルを使用することを終了した後で、割り付けられたチャネルのみを使用することができる。すべての割り付けられたチャネル周波数がセルにおいて使用され、そして、すべての利用可能なタイムスロットが使用されているまたは割り付けられているとき、最大セルキャパシティに到達する。このことは、いずれのさらなる遠隔局ユーザは、サービスを得ることができないということを意味する。実際、別のキャパシティ制限は、高周波数再使用パターンと高いキャパシティローディング（例えば、タイムスロット及びチャネル周波数のうちの８０パーセント）によって導入される、共通チャネル干渉（ＣＣＩ）および隣接するチャネル干渉（ＡＣＩ）に起因して存在する。
【００２５】
ネットワークオペレータは、多数の方法でこの問題に取り組んできており、それらのすべては、追加されるリソースと追加されるコストを必要とする。例えば、１つのアプローチは、セクタ化された、または、指向性の(directional)、アンテナアレイを使用することによって、セルをセクタへと分割することである。各セクタは、セル内で１サブセットの遠隔局のための通信を提供することができ、もし、セルがセクタへと分割されず、すべての遠隔局が同じセルに存在した場合には、異なるセクタにおける遠隔局間の干渉は減る。別のアプローチは、セルをより小さなセルに分割することであり、それぞれの新しいより小さなセルは基地局を有している。これらのアプローチの両方は、追加されたネットワーク機器に起因してインプリメントするのにコスト高である。さらに、セルを追加すること、または、セルをいくつかの小さなセルに分割することは、セル間の距離が縮小されるので近隣セルからより多くのＣＣＩ及びＡＣＩ干渉を経験する１つのセル内の遠隔局を結果としてもたらす。
【発明の概要】
【００２６】
第１の実施形態では、本願は、遠隔局に対してトレーニングシーケンスセット情報をシグナリングするための手段(means)および命令(instructions)を備え、それは、新しいセットのトレーニングシーケンスがサポートされるかを表示している遠隔局からのシグナリングを受信することと、確立されている通信チャネルについて遠隔局によって使用されるべきトレーニングシーケンスセットをシグナリングする前にチャネル記述を使用することと、を備える。
【００２７】
別の実施形態では、チャネル記述(channel discription)は、チャネル記述情報エレメント識別子(channel description information element identifier)である。
【００２８】
別の実施形態では、チャネル記述情報エレメント識別子は、チャネルタイプおよびＴＤＭＡオフセットフィールド(channel type and TDMA offset field)を有する。
【００２９】
別の実施形態では、チャネルタイプ及びTDMAオフセットフィールドは、以下のように符号化される。
【００３０】
Ｓ０００１  ＴＣＨ／Ｆ＋ＡＣＣＨｓ
Ｓ００１Ｔ  ＴＣＨ／Ｈ＋ＡＣＣＨｓ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは、使用するトレーニングシーケンスセット(training sequence set to use)を示し、ＳＤＣＣＨ／４は、スタンドアロン専用制御チャネル／１/４レートのサブチャネル(Stand-alone Dedicated Control Channel/ quarter-rate subchannel)であり、ＳＡＣＣＨ／Ｃ４は、スローな、ＳＤＣＣＨ／４  関連制御チャネル／１/４レートのサブチャネル（Slow SDCCH/4 Associated Control Channel/quarter-rate subchannel）であり、SDCCH/8は、スタンドアロン専用制御チャネル／１/８レートのサブチャネル（Stand-alone Dedicated Control Channel/eighth-rate subchannel）であり、ＳＡＣＣＨ／Ｃ８は、スローなＳＤＣＣＨ／８  関連制御チャネル／１/８レートのサブチャネル（Slow SDCCH/8 Associated Control Channel/eighth-rate subchannel）であり、ＡＣＣＨは、関連制御チャネル（Associated Control Channel）であり、ＣＢＣＨは、セルブロードキャストチャネル(Cell Broadcast Channel)であり、ＴＣＨ／Ｆは、トラヒックチャネルフルレート（Traffic Channel Full Rate）であり、ＴＣＨ／Ｈは、トラヒックチャネルハーフレート（Traffic Channel Half Rate）である。
【００３１】
別の実施形態では、代替/新しいＴＳＣセットが遠隔局１２３−１２７に対してシグナリングされることとなっているとき、チャネルタイプおよびＴＤＭＡオフセットフィールドは、以下のように符号化される。
【００３２】
１１０００  代替／新規の該トレーニングシーケンスセットを使用しているＴＣＨ／Ｆ＋ＡＣＣＨｓ
１１１０Ｔ  該代替／新規トレーニングシーケンスセットを使用しているＴＣＨ／Ｈ＋ＡＣＣＨｓ
１１１１１  リザーブされている(Reserved)
なお、ＴＣＨ／Ｆは、トラヒックチャネル／フルレートであり、ＴＣＨ／Ｈはトラヒックチャネル／ハーフレートであり、ＡＣＣＨは、関連制御チャネルであり、これらの３つの符号化点(coding points)は、代替/新しいトレーニングシーケンスが使用されるとき、遠隔局に対してシグナリングされる。
【００３３】
別の実施形態では、代替／新しいＴＳＣセットが遠隔局に対してシグナリングされることとなっているとき、チャネルタイプおよびＴＤＭＡオフセットフィールドは、以下のように符号化される。
【００３４】
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている
なお、ＴＣＨ／ＡＦＳは、トラヒックチャネル／適応フルレートスピーチ(Traffic Channel/Adaptive Full-Rate Speech)であり、ＴＣＨ／ＦＳは、トラヒックチャネルフルレートスピーチ(Traffic Channel/ Full-Rate Speech)であり、ＴＣＨ／ＨＳは、トラヒックチャネルハーフレートスピーチ(Traffic Channel/ Half-Rate Speech)であり、ＡＣＣＨは、関連制御チャネルであり、この符号点のセットは、代替／新しいトレーニングシーケンスセットが使用されるとき、遠隔局に対してシグナリングされる。
【００３５】
別の実施形態では、レガシトレーニングシーケンスセットが使用されることになっている場合、Ｓビットは０であり、新しいトレーニングシーケンスセットが使用されることになっている場合、Ｓビットは１である。
【００３６】
別の実施形態では、レガシトレーニングシーケンスセットが使用される場合、ビットポジション８は０であり、新しいトレーニングシーケンスセットが使用される場合、ビットポジション８は１である。
【００３７】
別の実施形態では、異なるトレーニングシーケンスコードと、既存の接続のトレーニングシーケンスコードと、の相互相関比は、低い。
【００３８】
別の実施形態では、本願は、チャネルを共有している第１の信号と第２の信号を生成する装置を備え、複数のデータソースと、なお、複数のデータソースによって複数のデータが生成される；複数の出力を有する少なくとも１つのシーケンス生成器と、なお、少なくとも１つのシーケンス生成器によって複数のトレーニングシーケンスが生成される；複数のコンバイナと、なお、それぞれは複数の入力と少なくとも１つの出力を有しており、第１の複数の入力は、該データソースのうちの１つに操作的に接続されており、第２の複数の入力は、該シーケンス生成器の該出力のうちの１つに操作的に接続されており、複数のコンバイナによって、少なくとも１つのトレーニングシーケンスは少なくとも１つのデータと少なくとも１つの組み合わせられたデータを生成するために組み合わせられる；そして、複数の入力と少なくとも１つの出力とを有する送信機変調器と、なお、それによって送信機変調器は、第１のキャリア周波数と第１のタイムスロットを使用して該組み合わせられたデータを変調し、そして、複数の変調された信号を出力する；を備えている。
【００３９】
別の実施形態では、本願は、基地局を備え、該基地局は、コントローラプロセッサと、アンテナと、基地局アンテナに操作的に接続されるデュプレクサスイッチと、デュプレクサスイッチに操作的に接続される受信機フロントエンドと、受信機フロントエンドに操作的に接続される受信機復調器と、受信機復調器とコントローラプロセッサとに操作的に接続されるチャネル復号器およびデインタリーバと、コントローラプロセッサに操作的に接続される基地局コントローラインターフェースと、コントローラプロセッサに操作的に接続される符号器およびインタリーバと、符号器およびインタリーバに操作的に接続される送信機変調器と、送信機変調器とデュプレクサスイッチ間で操作的に接続される、送信機フロントエンドモジュールと、該コントローラプロセッサと、該チャネル復号器およびデインタリーバ、該受信機復調器、該受信機フロントエンド、該送信機変調器、そして該送信機フロントエンドモジュールとの間で、操作的に接続されるデータバスと、メモリにおいて保存されるソフトウェアと、を備え、なお、該メモリは少なくとも１つのデータの表を備え、データは、少なくとも１つのセットの遠隔局についてのパラメータの値、トレーニングシーケンスコードの値（トレーニングシーケンスに対応する）、タイムスロット数の値、チャネル周波数の値を備える。
【００４０】
本方法および装置の適用性のさらなる範囲は、下記の詳細な説明、請求項の範囲、および図面から明らかとなるであろう。しかしながら、詳細な説明と具体的な例は、本発明の好ましい実施形態を示しているが、説明のためだけに与えられており、本発明の精神および範囲内の様々な変更および修正は、当業者にとって明らかとなるということは、理解されるべきである。
【００４１】
本発明の特徴、目的、及び利益は、図面と併せて、下記に記載される詳細な説明からより明らかとなるであろう。
【図面の簡単な説明】
【００４２】
【図１】図１は、送信機と受信機のブロック図を示す。
【図２】図２は、受信機ユニットと復調器のブロック図を示す。
【図３】図３はＧＳＭシステムにおける例示的なフレームとバーストフォーマットを示す。
【図４】図４はＧＳＭシステムにおける例示的なスペクトラムを示す。
【図５】図５は、セルラ通信システムの簡略ブロック図である。
【図６】図６は、セルラシステムの一部であるセルの配置を示す。
【図７】図７は、時分割多元接続（ＴＤＭＡ）通信システムのためのタイムスロットの配置の例を示す。
【図８Ａ】図８Ａは、単一チャネルを共有している第１の信号と第２の信号を生成するために、多元接続通信システムで動作するための装置を示す。
【図８Ｂ】図８Ｂは、第１の変調信号と第２の変調信号とを組み合わせるコンバイナを使用している、そして、単一チャネルを共有している、第１の信号と第２の信号を生成するために多元接続通信システムで動作し、第１の変調信号と第２の変調信号とを組み合わせるコンバイナを使用している装置を示す。
【図９】図９は、図８、図１０あるいは図１１のいずれかにおいて示される装置を使用するための方法を開示しているフローチャートである。
【図１０Ａ】図１０Ａは、図９によって説明される方法が基地局コントローラに常駐するであろう一例の実施形態を示す。
【図１０Ｂ】図１０Ｂは、図１０Ａの基地局コントローラによって実行されるステップを開示するフローチャートである。
【図１１】図１１は、基地局における信号のフローを説明する態様の基地局を示す。
【図１２】図１２は、セルラ通信システムの基地局コントローラ（ＢＳＣ）内に常駐するかもしれないメモリサブシステム内のデータストレージのための例示的な配列を示す。
【図１３】図１３は、本方法と本装置のＤＡＲＰ特性を有する遠隔局のための例示的な受信機アーキテクチャを示す。
【図１４】図１４は、２つの遠隔局に同じチャネルを割り当てるように適応されたＧＳＭシステムの一部を示す。
【図１５】図１５は、本方法と本装置の補足トレーニングシーケンス(complimentary training sequences)を使用するとき、実行されるステップを開示するフローチャートを示す。
【図１６】本願で開示される方法を実行することができるメモリで保存されるソフトウェアを備えた基地局を示す。
【図１７】図１７は、レガシトレーニングシーケンスとトレーニングシーケンスＱＣＯＭ７セットのＴＳＣをペアにするとき、１％ＦＥＲについてのテスト結果概要を含む。
【図１８】図１８は、レガシＴＳＣとＱＣＯＭ８ＴＳＣをペアにするとき、１％ＦＥＲについてのテスト結果概要を含む。
【図１９】図１９は、レガシＴＳＣ０とＱＣＯＭ７ＴＳＣ０をペアにするときの性能プロットである。
【図２０】図２０は、レガシＴＳＣ１とＱＣＯＭ７ＴＳＣ１をペアにするときの性能プロットである。
【図２１】図２１は、レガシＴＳＣ２とＱＣＯＭ７ＴＳＣ２をペアにするときの性能プロットである。
【図２２】図２２は、レガシＴＳＣ３とＱＣＯＭ７ＴＳＣ３をペアにするときの性能プロットである。
【図２３】図２３は、レガシＴＳＣ４とＱＣＯＭ７ＴＳＣ４をペアにするときの性能プロットである。
【図２４】図２４は、レガシＴＳＣ５とＱＣＯＭ７ＴＳＣ５をペアにするときの性能プロットである。
【図２５】図２５は、レガシＴＳＣ６とＱＣＯＭ７ＴＳＣ６をペアにするときの性能プロットである。
【図２６】図２６は、レガシＴＳＣ７とＱＣＯＭ７ＴＳＣ７をペアにするときの性能プロットである。
【図２７】図２７は、レガシＴＳＣ０とＱＣＯＭ８ＴＳＣ０をペアにするときの性能プロットである。
【図２８】図２８は、レガシＴＳＣ１とＱＣＯＭ８ＴＳＣ１をペアにするときの性能プロットである。
【図２９】図２９は、レガシＴＳＣ２とＱＣＯＭ８ＴＳＣ２をペアにするときの性能プロットである。
【図３０】図３０は、レガシＴＳＣ３とＱＣＯＭ８ＴＳＣ３をペアにするときの性能プロットである。
【図３１】図３１は、レガシＴＳＣ４とＱＣＯＭ８ＴＳＣ４をペアにするときの性能プロットである。
【図３２】図３２は、レガシＴＳＣ５とＱＣＯＭ８ＴＳＣ５をペアにするときの性能プロットである。
【図３３】図３３は、レガシＴＳＣ６とＱＣＯＭ８ＴＳＣ６をペアにするときの性能プロットである。
【図３４】図３４は、レガシＴＳＣ７とＱＣＯＭ８ＴＳＣ７をペアにするときの性能プロットである。
【図３５】図３５は、遠隔局におけるＭＵＲＯＳ機能を識別するために基地局によって取られるステップを備えているフローチャートである。
【図３６】図３６は、遠隔局に対してトレーニングシーケンス情報をシグナリングするために取られるステップを備えているフローチャートである。
【図３７】図３７は、チャネル記述構造（３ＧＰＰ  ＴＳ  ４４．０１８セクション１０．５．２．５及び１０．５．２．５ａ）である。
【図３８】図３８は、チャネル記述構造（３ＧＰＰ  ＴＳ  ４４．０１８セクション１０．５．２．１４ｂ）である。
【図３９】図３９は、チャネル記述構造（３ＧＰＰ  ＴＳ  ４４．０１８セクション１０．５．２．１４ｂ）である。
【詳細な説明】
【００４３】
添付図面に関連した下記の詳細の説明は、本発明の例示的な実施形態の説明として意図されており、本発明が実施されることができる唯一つの例示的な実施形態を表わすことを意図していない。本明細書の全体にわたって使用されている用語「例示的な(exemplary)」は、「例(example)、インスタンス(instance)、又は例証(illustration)として機能している」を意味しており、他の例示的な実施形態よりも好ましいまたは有利であるとして、必ずしも解釈されるべきではない。詳細な説明は、本発明の完全な理解を提供する目的で具体的な詳細を含む。しかしながら、本発明がこれらの具体的な詳細なしで実行されることができるということを当業者にとっては明らかであろう。他の例では、よく知られた構造及びデバイスは、本発明のコンセプトを不明瞭にすることを回避するために、ブロック図の形で示されている。
【００４４】
他のユーザに起因する干渉は、ワイヤレスネットワークの性能を制限する。この干渉は、上述されているＣＣＩとして知られる、同じ周波数上の近隣セルからの、または、これも上述されているＡＣＩとして知られる同じセル上の近隣周波数からの、いずれかからの干渉の形をとることができる。
【００４５】
シングルアンテナ干渉キャンセル(Single-antenna interference cancellation)(ＳＡＩＣ)は、共通チャネル干渉(Co-Channel Interference) (ＣＣＩ)を減らすために使用されており、第３世代パートナーシップ(3G Partnership Project)（３ＧＰＰ)は標準化されたＳＡＩＣ性能を有する。ＳＡＩＣは、干渉に対抗する(combat)ために使用される方法である。３ＧＰＰは、ＳＡＩＣを適用する受信機を説明するために、ダウンリンクの高度な受信機性能(downlink advanced receiver performance)（ＤＡＲＰ）を採択する。
【００４６】
ＤＡＲＰは、より低い再使用係数を利用することによってネットワークキャパシティを増加させる。さらに、それは、同時に干渉を抑制する。ＤＡＲＰは、遠隔局の受信機のベースバンド部分において動作する。それは、汎用ノイズとは異なる隣接するチャネルと共通のチャネルの干渉を抑制する。ＤＡＲＰは、リリース独立特性として、前に定義されるＧＳＭ標準規格（２００４のＲｅｌ−６以降）において利用可能であり、Ｒｅｌ−６または後のスペックのインテグラル部分である。下記は、２つのＤＡＲＰ方法の説明である。第１に、ジョイント検出／復調(joint detection/demodulation)(ＪＤ)方法である。ＪＤは、望ましい信号に加えて、いくつかの干渉信号のうちの１つを復調するためにシンクロナスモバイルネットワークにおいて、隣接するセルにおけるＧＳＭ信号構造のナレッジ(knowledge)を使用する。干渉信号を検索するＪＤの機能は、特定の隣接するチャネルインタフィアラの抑制を可能にする。ＧＭＳＫ信号を復調することに加えて、ＪＤはまた、ＥＤＧＥ信号を復調するために使用されることができる。ブラインドインタフィアラキャンセル(Blind interferer cancellation)（ＢＩＣ）は、ＧＭＳＫ信号を復調するためにＤＡＲＰにおいて使用される別の方法である。ＢＩＣで、受信機は、望ましい信号が受信されたということを同時に受信されることができるいずれの干渉信号のナレッジを有していない。受信機はいずれの隣接するチャネルインタフィアラに対して効果的に「ブラインド (blind)」であるので、本方法は、全体として干渉するコンポーネントを抑制するように試みる。ＧＭＳＫ信号は、ＢＩＣ方法によって、欲されるキャリア(wanted carrier)から復調される。ＢＩＣは、ＧＭＳＫ変調スピーチおよびデータサービスについて使用されるとき最も効果的であり、アシンクロナスネットワークにおいて使用されることができる。
【００４７】
本方法および本装置のＤＡＲＰ対応遠隔局の等化器／検出器４２６はまた、等化、検出などの前にＣＣＩキャンセルを実行する。図２の等化器／検出器４２６は、復調されるデータを提供する。ＣＣＩキャンセルは、通常、ＢＳ上で利用可能である。また、遠隔局は、ＤＡＲＰ対応(DARP capable)であってもよく、または、対応でなくてもよい。ネットワークは、遠隔局がＤＡＲＰ対応かそうでないかを、ＧＳＭ遠隔局（例、モバイル局）についてのリソース割り当て段階、すなわち呼び出しの開始時点で判断することができる。
【００４８】
基地局によって扱われることができる遠隔局へのアクティブな接続の数を増加することが望ましい。添付図面の図５は、セルラ通信システム１００の簡略図である。システムは、基地局１１０、１１１および１１４と、遠隔局１２３、１２４、１２５、１２６および１２７を備える。基地局コントローラ１４１−１４４は、モバイル交換センタ１５１、１５２の制御の下、異なる遠隔局１２３−１２７間で信号を送るように作用する。モバイル交換センタ１５１、１５２は、公衆交換電話網（ＰＳＴＮ）１６２に接続される。遠隔局１２３−１２７は一般的にハンドヘルドモバイルデバイスであるが、多くの固定ワイヤレスデバイスとデータを扱うことができるワイヤレスデバイスはまた、遠隔局１２３−１２７のジェネラルタイトル(general title)の下に入る。
【００４９】
例えば音声データを搬送している信号は、モバイル交換１５１、１５２の制御の下、基地局コントローラ１４１−１４４の手段によって、遠隔局１２３−１２７と他の遠隔局１２３−１２７のそれぞれの間でトランスファされる。代替的に、例えば音声データを搬送している信号は、公衆交換電話網１６２を介して、遠隔局１２３−１２７のそれぞれと他の通信ネットワークの他の通信機器との間で、トランスファされる。公衆交換電話網１６２は、モバイルセルラシステム１００と他の通信システムとの間で呼び出しが送られることを可能にする。そのような他のシステムは、異なるタイプの他のモバイルセルラ通信システム１００を含み、異なる基準に合わせる。
【００５０】
遠隔局１２７-１２３のそれぞれは、多数の基地局１１０、１１１、１１４のうちのいずれか１つによってサービス提供されることができる。遠隔局１２４は、サービング基地局１１４によって送信される信号と、近くのノンサービング基地局１１０、１１４によって送信され他の遠隔局１２５にサービス提供するように意図される信号と、の両方を受信する。
【００５１】
基地局１１０、１１１、１１４からの異なる信号の強度は、遠隔局１２４によって周期的に測定され、ＢＳＣ１４４、１１４などに対して報告される。近くの基地局１１０、１１１からの信号が、サービング基地局１１４のものよりもより強くなる場合には、モバイル交換センタ１５２は、近くの基地局１１０がサービング基地局となるように作用し、サービング基地局１１４がノンサービング基地局となるように作用し、そして、近くの基地局１１０に信号をハンドオーバする。ハンドオーバは、コアネットワークに接続されるあるチャネルから別のチャネルへと、データセッションまたは進行中の呼び出しをトランスファする方法を指す。
【００５２】
セルラモバイル通信システムでは、無線リソースは、多数のチャネルに分けられる。各アクティブな接続（例えば、音声呼び出し）は、（遠隔局１２３−１２７に対して基地局１１０、１１１、１１４によって送信され遠隔局１２３−１２７によって受信される）ダウンリンク信号のための特定のチャネル周波数を有する特定のチャネルと、（基地局１１０、１１１、１１４に対して遠隔局１２３−１２７によって送信され、基地局１１０、１１１、１１４によって受信される）アップリンク信号のための特定チャネル周波数を有するチャネル、を割り付けられる。ダウンリンク信号とアップリンク信号のための周波数はしばしば異なっており、同時送信及び受信を可能にし、遠隔局１２３−１２７において、または、基地局１１０、１１１、１１４において、送信された信号と受信された信号との間の干渉を減らす。
【００５３】
多くのユーザに対してアクセスを提供するセルラシステムのための方法は、周波数再使用(frequency reuse)である。添付図面の図６は、周波数再使用を使用するセルラ通信システムにおけるセルの配列を示す。この具体的な例は、４：１２の再使用係数を有し、これは、４つのセル：１２の周波数、を表している。これは、基地局について利用可能な１２の周波数が、図６で図示されるＡ−Ｄとラベル付けされた基地局の４つのサイトに対して割り付けられる、ということを意味する。各サイトは、３つのセクタ（またはセル）へと分割される。別の言い方をすると、１つの周波数が、４つのサイトのそれぞれの３つのセクタのうちのそれぞれに対して割り付けられるので、１２セクタのうちのすべて（３セクタ／サイトの４サイト）は異なる周波数を有する。周波数再使用パターンは、第４のセルのあとで、それ自体が繰り返す。図６は、システムのセル繰り返しパターン２１０を図示しており、基地局１１０はセルＡに属し、基地局１１４はセルＢに属し、基地局１１１はセルＣに属する、と続く。基地局１１０は、隣接する基地局１１１と１１４それぞれの、隣接するサービスエリア２３０と２４０でオーバラップするサービスエリア２２０を有する。遠隔局１２４、１２５は、サービスエリア間で、自由にローミングする。上記で説明されているように、セル間の信号の干渉を減らすために、各セルは、１セットのチャネル周波数を割り付けられており、各周波数は、１以上のチャネルをサポートすることができるので、隣接するセルは、異なるセットのチャネル周波数を割り付けられる。しかしながら、隣接しない２つのセルが、同じセットの周波数を使用することができる。基地局１１０は、そのサービスエリア２２０において遠隔局１２５と通信するために周波数ｆ１、ｆ２、ｆ３を備えている周波数割り付けセットＡを例えば使用することができる。同様に、基地局１１４は、そのサービスエリアにおいて遠隔局１２４と通信するために、周波数ｆ４、ｆ５、ｆ６を備えている周波数割り付けセットＢなどを例えば使用することができる。太い線の境界線２５０によって定義されるエリアは、１つの４サイト繰り返しパターンを含む。繰り返しパターンは、通信システム１００によってサービス提供される地理的エリアの規則的な配置で繰り返す。本願の例は、４サイト後、それ自体が繰り返すにも関らず、繰り返しパターンは、４以外のサイトの数と１２以外の周波数の合計数を有することができるということが理解される。
【００５４】
ＧＳＭを用いて上述されるように、各キャリア周波数は、ＴＤＭＡを使用して分割される。ＴＤＭＡは、増加したキャパシティを提供することを対象とした多元接続性技術である。ＴＤＭＡを使用して、各キャリア周波数は、フレームと呼ばれるインターバルへとセグメント化される。各フレームは、割り当て可能なユーザタイムスロットへとさらに分割される。ＧＳＭでは、フレームは、８つのタイムスロットへと分割される。したがって、８つの連続タイムスロットは、４．６１５ｍｓの持続期間で１つのＴＤＭＡフレームを形成する。
【００５５】
物理チャネルは、特定の周波数上で各フレーム内の１タイムスロットを占める。特定のキャリア周波数のＴＤＭＡフレームは数字がふられ、各ユーザは、各フレーム内で１以上のタイムスロットを割り当てられる。さらに、フレーム構造は繰り返すので、固定ＴＤＭＡ割り当ては、各タイムフレームの間に周期的に出現する１以上のスロットを構成する。したがって、各基地局は、単一チャネル周波数内で異なる割り当てられたタイムスロットを使用して、複数の遠隔局１２３−１２７と通信することができる。上記で述べられるように、タイムスロットは周期的に繰り返す。例えば、第１のユーザは、周波数ｆ１を各フレームの第１のスロット上で送信することができ、第２のユーザは、周波数ｆ２を各フレームの第２のスロット上で送信することができる。各ダウンリンクタイムスロットの間、遠隔局１２３−１２７が、基地局１１０、１１１、１１４によって送信される信号を受信するアクセスを与えられ、各アップリンクタイムスロットの間、基地局１１０、１１１、１１４は、遠隔局１２３-１２７によって送信される信号を受信するアクセスを与えられている。したがって、モバイル局１２３-１２７への通信のためのチャネルは、ＧＳＭシステムのために、周波数とタイムスロットの両方を備える。同様に、基地局１１０、１１１、１１４に対する通信のためのチャネルは、周波数とタイムスロットの両方を備える。
【００５６】
図７は、時分割多元接続（ＴＤＭＡ）通信システムのためのタイムスロットの配置の例を示す。基地局１１４は、番号付けられたタイムスロット３０のシーケンスにおいてデータ信号を送信し、各信号は、１セットの遠隔局１２３−１２７のうちの１つだけのためであり、各信号は、送信される信号の範囲内のすべての遠隔局１２３−１２７のアンテナで受信される。基地局１１４は、割り付けられたチャネル周波数上で、スロットを使用して、すべての信号を送信する。例えば、第１の遠隔局１２４は、第１のタイムスロット３を割り付けられる可能性があり、第２の遠隔局１２６は、第２のタイムスロット５を割り付けられる可能性がある。基地局１１４は、この例において、タイムスロット３０のシーケンスのタイムスロット３の間、第１の遠隔局１２４のための信号を送信し、タイムスロット３０のシーケンスのタイムスロット５の間に、第２の遠隔局１２６のための信号を送信する。第１の遠隔局１２４と第２の遠隔局１２６は、基地局１１４から信号を受信するために、タイムスロットシーケンス３０のうちそれらのそれぞれのタイムスロット３および５の間、アクティブである。遠隔局１２４、１２６は、アップリンク上でタイムスロットシーケンス３１のうちの対応するタイムスロット３とタイムスロット５の間に、基地局１１４に対して信号を送信する。送信する基地局１１４（および受信する遠隔局１２４、１２６）のためのタイムスロット３０は、送信する遠隔局１２４、１２６（および受信する基地局１１４）のためのタイムスロット３１について、時間においてオフセットされることがわかる。
【００５７】
この送信および受信タイムスロットの時間においてオフセットすることは、時分割デュプレキシング（ＴＤＤ）として知られており、特に、送信および受信オペレーションが時間の異なるインスタンスにおいて生じることを可能にする。
【００５８】
音声データ信号は、基地局１１０、１１１、１１４と遠隔局１２３−１２７との間で送信されることになっている唯一の信号ではない。制御チャネルは、基地局１１０、１１１、１１４と遠隔局１２３-１２７との間の通信の様々な態様を制御するデータを送信するために使用される。とりわけ、基地局１１０、１１１、１１４は、シーケンスコード、すなわち、１セットのシーケンスのうちどれを基地局１１０、１１１、１１４が遠隔局１２３−１２７に対して信号を送信するのに使用するかを表示するトレーニングシーケンスコード（ＴＳＣ）を遠隔局１２３−１２７に対して送信するために制御チャネルを使用する。ＧＳＭでは、２６ビットのトレーニングシーケンスは、等化に使用される。これは、各タイムスロットバーストの最中に信号において送信される、既知シーケンスである。
【００５９】
シーケンスは、時間と共に速く変容するチャネル劣化を補償するために、他のセクタまたはセルからの干渉を減らすために、そして、受信信号に遠隔局の受信機を同期化するために、遠隔局１２３−１２７によって使用される。これらの機能は、遠隔局の１２３−１２７の受信機の一部である等化器によって実行される。等化器４２６は、既知の送信されたトレーニングシーケンス信号がマルチパス・フェージングによってどのように修正されるかを決定する。等化は、望ましい信号の残りを抽出する逆フィルタを構築することによって、欲されない反響(reflections)から望ましい信号を抽出するためにこの情報を使用することができる。異なるシーケンス（および関連づけられたシーケンスコード）は、互いに近い基地局１１０、１１１、１１４によって送信されるシーケンス間の干渉を減らすために、異なる基地局１１０、１１１、１１４によって送信される。
【００６０】
上記で述べられているように、ＤＡＲＰを用いて、本方法および装置の遠隔局１２３−１２７は、他のセルの非サービング基地局１１０、１１１、１１４によって送信される他の欲されない信号と、遠隔局１２３−１２７にサービス提供している基地局１１０、１１１、１１４によってそれに対して送信される信号を区別するためにシーケンスを使用することができる。このことは、欲されない信号の受信される振幅またはパワーレベルが欲される信号の振幅と比べてしきい値より下回るかぎり、あてはまる。欲されない信号は、このしきい値より上回る振幅を有する場合には、欲される信号に対して干渉を引き起こす可能性がある。さらに、しきい値は、遠隔局の１２３−１２７の受信機の機能に応じて様々であることができる。干渉する信号および望ましい（または欲される）信号は、例えばサービングおよび非サービング基地局１１０、１１１、１１４からの信号が送信するのに同じタイムスロットを共有する場合には、遠隔局１２３−１２７の受信機と同時期に到達することができる。
【００６１】
図５を再び参照すると、遠隔局１２４では、遠隔局１２５に対する基地局１１０からの送信は、遠隔局１２４に対する基地局１１４からの送信（点線矢印１７０によって示された、干渉信号のパス）と干渉することができる。同様に、遠隔局１２５において、遠隔局１２４に対する基地局１１４からの送信は、遠隔局１２５に対する基地局１１０からの送信（点線矢印１８２で示される干渉信号のパス）を干渉することができる。
【表１】
2014140232.tif 000003
【００６２】
表１は、図６で図示された２つの基地局１１０と１１４によって送信された信号に対するパラメータの値の例を示す。表１の行３と行４における情報は、遠隔局１２４については、第１の基地局１１４からの欲される信号と第２の基地局１１０からの欲されず遠隔局１２５について意図されるインタフィアラ信号の両方は、受信されるということ、そして、２つの受信信号は、同じチャネルと同様なパワーレベル（それぞれ、−８２ｄＢｍ、−８１ｄＢｍ）を有するということ、を示している。同様に、行６と行７における情報は、遠隔局１２５については、第２の基地局１１０からの欲される信号と第１の基地局１１４からの欲されず遠隔局１２４について意図されるインタフィアラ信号の両方は、受信されるということ、そして、２つの受信信号は、同じチャネルと同様なパワーレベル（それぞれ、−８０ｄＢｍ、−７９ｄＢｍ）を有するということ、を示している。
【００６３】
したがって、各遠隔局１２４、１２５は、同じチャネル上で（すなわち、同時期に起こる）、異なる基地局１１４、１１０から、同様なパワーレベルを有する、欲される信号と欲さないインタフィアラ信号の両方を受信する。２つの信号が同じチャネル上で同様なパワーレベルに到達するので、それらは、互いに干渉する。このことは、欲される信号の復調および復号におけるエラーを引き起こす可能性がある。この干渉は、上述された共通チャネル干渉(co-channel interference)である。
【００６４】
共通チャネル干渉は、ＤＡＲＰイネーブルの遠隔局１２３−１２７、基地局１１０、１１１、１１４、そして、基地局コントローラ１５１、１５２を使用することにより、可能であれば以前よりも大きい程度に緩和される。基地局１１０、１１１、１１４は、同様なパワーレベルを有している２つの共通チャネル信号を同時に受信し、復調することができ、ＤＡＲＰは、遠隔局１２３−１２７が、ＤＡＲＰの手段により、同様な機能を有することを可能にする。このＤＡＲＰ機能は、単一アンテナ干渉キャンセル(single antenna interference cancellation)(ＳＡＩＣ)として知られる方法の手段によって、または、デュアルアンテナ干渉キャンセル(dual antenna interference cancellation)(ＤＡＩＣ)として知られる方法の手段によって、インプリメントされることができる。
【００６５】
ＤＡＲＰ対応遠隔局１２３−１２７の受信機は、受信される欲されない共通チャネル信号の振幅が欲される信号の振幅と同じまたは高いときにでさえ、欲されない共通チャネル信号を拒絶しながら、欲される信号を復調することができる。受信される共通チャネル信号の振幅が類似であるとき、ＤＡＲＰ特性は、よりよく機能する。このシチュエーションは、それぞれ異なる基地局１１０、１１１、１１４と通信している２つの遠隔局１２３−１２７のそれぞれがセル境界の近くにあるとき、本方法および装置をまだ利用しないＧＳＭのような既存システムにおいて一般的に生じ、なお、各遠隔局１２３−１２７に対する各基地局１１０、１１１、１１４からのパスロスは、類似している。
【００６６】
対照的に、ＤＡＲＰ対応でない遠隔局１２３−１２７は、欲されない共通チャネルインタフィアラ信号が、欲される信号の振幅よりも低い振幅、またはパワーレベルを有する場合には、欲される信号を復調のみすることができる。一例では、それは少なくとも８ｄＢだけより低くなる可能性がある。したがって、ＤＡＲＰ対応遠隔局１２３−１２７は、ＤＡＲＰ機能を有していない遠隔局１２３−１２７が認容できるよりも、欲される信号に関してより高い増幅共通チャネル信号を認容できる。
【００６７】
共通チャネル干渉（ＣＣＩ）比は、ｄＢで表わされた、欲される信号及び欲されない信号の、パワーレベル間、すなわち振幅間、の比である。一例では、共通チャネル干渉比は、例えば、−６ｄＢであってもよい。（なお、欲される信号のパワーレベルは、共通インタフェアラ（または欲されない）信号のパワーレベルよりも６ｄＢ低い）。別の例では、比は、＋６ｄＢであってもよい（なお、欲される信号のパワーレベルは、共通チャネルインタフィアラ（または欲されない信号）のパワーレベルより６ｄＢ高い）。よいＤＡＲＰ性能を備えた本方法および装置のこれらの遠隔局１２３−１２７の場合、インタフィアラ信号の振幅は、欲される信号の振幅よりも１０ｄＢ高いものと同じであることができ、遠隔局１２３−１２７は、欲される信号をいまだ処理することができる。インタフィアラ信号の振幅が欲される信号の振幅より１０ｄＢ高い場合には、共通チャネル干渉比は-１０ｄＢである。
【００６８】
上述されているように、ＤＡＲＰ機能は、ＡＣＩまたはＣＣＩの存在下で、遠隔局１２３−１２７の信号受信を改善する。新規ユーザは、ＤＡＲＰ機能を用いて、既存ユーザから生じる干渉をよりよく拒絶するでしょう。既存ユーザは、同じくＤＡＲＰ機能を備え、同じことをするであろう、また、新規ユーザによって影響を与えられない。一例では、ＤＡＲＰは、０ｄＢ（信号のための共通干渉の同じレベル）から-６ｄＢ（共通チャネルは望ましいまたは欲される信号よりも６ｄＢ強い）の範囲において、ＣＣＩでうまく機能する。したがって、同じＡＲＦＣＮおよび同じタイムスロットを使用しているが、異なるＴＳＣを割り当てられている２人のユーザは、よいサービスを得るだろう。
【００６９】
ＤＡＲＰ特性は、遠隔局１２４、１２５の両方がＤＡＲＰ特性イネーブルを有する場合には、それらは、それぞれ２つの基地局１１０および１１４から欲される信号を受信することと、なお欲される信号は同様なパワーレベルを有する；各遠隔局１２４、１２５がその欲される信号を復調することと；を可能にする。したがって、ＤＡＲＰイネーブルの遠隔局１２４および１２５は、両方とも、データまたは音声について、同時に同じチャネルを使用することができる。
【００７０】
２つの基地局１１０、１１１、１１４から遠隔局１２３−１２７までの２つの同時呼び出しをサポートするために単一チャネルを使用するという上記で説明される特性は、従来技術の出願において、いくらか限定されている。この特性を使用するために、２つの遠隔局１２４、１２５は、２つの基地局１１４、１１０の範囲内にあり、それぞれは、同様なパワーレベルで２つの信号を受信する。この条件の場合、上述されているように、一般的には２つの遠隔局１２４、１２５は、セル境界に近いであろう。
【００７１】
本方法および本装置は、（キャリア周波数上のタイムスロットから成る）同じチャネル上で２以上の同時の呼び出しをサポートすることを可能にし、各呼び出しは、基地局１１０、１１１、１１４によって送信される信号と遠隔局１２３−１２７によって送信される信号との手段による、単一基地局１１０、１１１、１１４と、複数の遠隔局１２３−１２７のうちの１つと、の間の通信を備えている。本方法および本装置は、ＤＡＲＰのための新規で進歩性を有するアプリケーションを提供する。上述されているように、ＤＡＲＰを用いて、同じキャリア周波数上の同じタイムスロット上の２つの信号は、ＤＡＲＰの前のよりも、干渉のより高いレベルにおいて異なるトレーニングシーケンスを使用することによって区別されることができる。ＢＳ１１０、１１１、１１４からの信号が干渉としての動作で使用されていないので、ＤＡＲＰは、トレーニングシーケンスを使用することによって欲されない信号（使用されていないＢＳ１１０、１１１、１１４からの信号）をフィルタにかけない／抑制しない(filters/suppress out)。
【００７２】
本方法および本装置は、同じセルにおける２以上のトレーニングシーケンスを使用することを可能にする。従来技術では、トレーニングシーケンスのうちの１つ、すなわち、基地局１１０、１１１、１１４に対して割り当てられていないものは、干渉としてのみ作用するであろう、なぜならば、少なくとも１つのモバイル局１２３−１２７の受信機について１スロット上のマルチユーザ（ＭＵＲＯＳ）においても同様であるからである。しかしながら、決定的な違いは、そのモバイル局のための欲されない信号が同じセルにおいて別のモバイル局１２３−１２７によって欲されているということである。レガシシステムでは、欲されない信号は、別のセルにおけるモバイル局１２３-１２７のためのものである。本方法および装置によれば、両方のトレーニングシーケンス信号は、同じ基地局１１０、１１１、１１４によって同じセルにおいて同じキャリア周波数上で同じタイムスロットにおいて使用されることができる。２つのトレーニングシーケンスがセルで使用されることができるので、２倍の通信チャネルがセルにおいて使用されることができる。別の（非近隣の）セルまたはセクタからの通常は干渉であるであろうトレーニングシーケンスを採ることによって、そして、そのすでに使用されるトレーニングシーケンスに加えて基地局１１０、１１１、１１４がそれを使用することを可能にすることによって、通信チャネルの数は倍になる。
【００７３】
したがって、本方法及び本装置と一緒に使用されるとき、ＤＡＲＰは、ＧＳＭネットワークが追加ユーザにサービス提供するために、すでに使用されている共通チャネル（すなわち、すでに使用されているＡＲＦＣＮ）を使用することを可能にする。一例では、各ＡＲＦＣＮは、フルレート（ＦＲ）スピーチについては２人のユーザのために、ハーフレート（ＨＲ）スピーチについては４人のユーザのために、使用されることができる。ＭＳが優れたＤＡＲＰ性能を有する場合には、第３のユーザに対して、または第４のユーザに対してさえも、サービス提供することも可能である。同じタイムスロット上で同じＡＦＲＣＮを使用して追加ユーザにサービス提供するために、ネットワークは、異なる位相シフトを使用して、同じキャリア上で追加ユーザのＲＦ信号を送信し、そして、異なるＴＳＣを使用して追加ユーザに対して同じトラヒックチャネル（使用されている同じＡＲＦＣＮ及びタイムスロット）を割り当てる。バーストは、それに応じて、ＴＳＣに対応するトレーニングシーケンスで変調される。ＤＡＲＰ対応のＭＳは、欲されるまたは望ましい信号を検出することができる。第１のユーザと第２のユーザと同じ方法で第３のユーザと第４のユーザを追加することが可能である。
【００７４】
添付図面の図８Ａは、単一チャネルを共有する第１の信号と第２の信号を生成するために、多元接続通信システムにおいて動作するための装置を示す。第１のデータソース４０１と第２のデータソース４０２（第１及び第２の遠隔局１２３−１２７用）は、送信のために第１のデータ４２４と第２のデータ４２５を生成する。シーケンス生成器４０３は、第１のシーケンス４０４と第２のシーケンス４０５を生成する。第１のコンバイナ４０６は、第１の組み合わせられたデータ４０８を生成するために、第１の４２４データと、第１のシーケンス４０４を組み合わせる。第２のコンバイナ４０７は、第２の組み合わせられたデータ４０９を生成するために、第２のデータ４２５と、第２のシーケンス４０５を組み合わせる。
【００７５】
第１の組み合わせられたデータ４０８と第２の組み合わせられたデータ４０９は、第１のキャリア周波数４１１と第１のタイムスロット４１２を使用して第１の組み合わせられたデータ４０８と第２の組み合わせられたデータ４０９の両方を変調するために送信機変調器４１０に対して入力される。この例では、キャリア周波数は、オシレータ４２１によって生成されることができる。送信機変調器はＲＦフロントエンド４１５に対して、第１の変調信号４１３と第２の変調信号４１４を出力する。ＲＦフロントエンドは、第１の変調信号４１３と第２の変調信号４１４をベースバンドからＲＦ（無線周波数）周波数へとアップコンバートすることによって、それらを処理する。アップコンバートされた信号は、アンテナ４１６および４１７に送られ、それらはそれぞれ送信される。
【００７６】
第１の変調信号と第２の変調信号は送信される前にコンバイナで組み合わせられることができる。コンバイナ４２２は、送信機変調器４１０またはＲＦフロントエンド４１５のいずれかの一部、あるいは、個別のデバイスであってもよい。単一のアンテナ４１６は、放射(radiation)によって、組み合わせられた第１の信号と第２の信号を送信するための手段を提供する。このことは図８Ｂで図示される。
【００７７】
添付図面の図９は、図８Ａと図８Ｂで示される単一チャネルを共有する第１の信号と第２の信号を生成するために多元接続通信システムで動作するための装置を使用する方法を示す。本方法は、複数の遠隔局１２３−１２７に対して送信するために使用する基地局１１０、１１１、１１４についての特定チャネル周波数と特定タイムスロットを割り付けることを含んでおり、それによって、異なるトレーニングシーケンスが各遠隔局１２３−１２７について割り当てられる。したがって、一例では、本方法は、基地局コントローラ１５１、１５２において実行されることができる。別の例では、この方法は、基地局１１０、１１１、１１４で実行されることができる。
【００７８】
方法５０１の開始に続いて、基地局１１０、１１１、１１４と遠隔局１２３−１２７との間で、新しい接続をセットアップするかどうかという決定はステップ５０２で行われる。回答がＮＯである場合には、方法は、開始ブロック５０１に戻り、上記のステップが繰り返される。回答がＹＥＳであるとき、新しい接続がセットアップされる。ブロック５０３では、使用されていないチャネル（すなわち、いずれのチャネル周波数のための使用されていないタイムスロット）があるかどうかという決定が行われる。使用されるまたは使用されていないチャネル周波数上で使用されていないタイムスロットがある場合には、新しいタイムスロットが、ブロック５０４で割り付けられる。本方法は、開始ブロック５０１に戻り、上記のステップが繰り返される。
【００７９】
最終的に、使用されていないタイムスロットがもうないときは（すべてのタイムスロットが接続のために使用されるため）、ブロック５０３の質問に対する回答はＮＯであり、方法はブロック５０５へと移る。ブロック５０５では、使用されていないタイムスロットは、１セットの第１基準にしたがって、既存の接続と共有するために新しい接続について選択される。様々な基準があることができる。例えば、１つの基準は、それが低いトラヒックを有する場合にはタイムスロットが選択されることができる、ということであってもよい。別の基準は、ただ１つの遠隔局１２３−１２７(no more than one remote station 123 - 127)によってタイムスロットはすでに使用されているということであってもよい。利用されるネットワークプラニング方法に基づいて他の可能性のある基準があるということ、そして、基準は、これらの２つの例に限定されていないということは理解されることができる。
【００８０】
チャネル周波数上の使用されるタイムスロットは、既存の接続と共に共有するために新しい接続のために選択されており、新しい接続のためのＴＳＣは、１セットの第２の基準にしたがってブロック５０６において選択される。これらの第２の基準は、ブロック５０５におけるタイムスロットの選択に使用される基準のうちのいくつか、または他の基準を含むことができる。ある基準は、使用されたタイムスロットを備えているチャネルについてセルまたはセクタによってＴＳＣがまだ使用されてないことである。別の基準は、ＴＳＣが近くのセルまたはセクタによってそのチャネル上で使用されていないということであってもよい。方法は、開始ブロック５０１に戻り、上記のステップが繰り返される。
【００８１】
添付図面の図１０Ａは、一例を示しており、図９によって説明される方法は、基地局コントローラ６００において常駐するであろう。基地局コントローラ６００内では、コントローラプロセッサ６６０とメモリサブシステム６５０が常駐する。方法のステップは、メモリサブシステム６５０内のメモリ６８５のソフトウェア６８０において、または、コントローラプロセッサ６６０において常駐しているメモリ６８５のソフトウェア６８０内で、または、基地局コントローラ６００のメモリ６８５のソフトウェア６８０内で、または、他のあるデジタル信号プロセッサ（ＤＳＰ）内で、または、他の形態のハードウェアにおいて、保存されることができる。基地局コントローラ６００は、モバイル交換センタ６１０に接続され、また、図１０Ａによって示されているように、基地局６２０、６３０、そして６４０に対して接続されている。
【００８２】
メモリサブシステム６５０内で示されているものは、データ６５１、６５２、６５３の３つの表の部分である。各データの表は、ＭＳとラベル付けされた列によって示される１セットの遠隔局１２３、１２４のためのパラメータの値を保存する。表６５１は、トレーニングシーケンスコードの値を保存する。表６５２は、タイムスロット数ＴＳについての値を保存する。表６５３は、チャネル周波数ＣＨＦの値を保存する。データの表は、図１０Ａで示されるものに対してマルチ次元の単一の表(multi-dimensional single table)または異なる次元のいくつかの表(several tables of different dimensions)として代替的に配置されることができるということは理解されることができる。
【００８３】
コントローラプロセッサ６６０は、メモリサブシステム６５０に対してパラメータを送信しメモリサブシステム６５０からパラメータを受信するために、メモリサブシステム６５０とデータバス６７０を介して通信する。コントローラプロセッサ６６０内で、アクセスグラントコマンドを生成する機能６６１と、基地局６２０、６３０、６４０に対してアクセスグラントコマンドを送る機能６６２と、トラヒック割り当てメッセージを生成する機能６６３と、基地局６２０、６３０、または６４０に対してトラヒック割り当てメッセージを送る機能６６４と、を含む機能が含まれる。これらの機能は、メモリ６８５において保存されたソフトウェア６８０を使用して実行されることができる。
【００８４】
コントローラプロセッサ６６０内で、または、基地局コントローラ６００のどこででも、基地局６２０、６３０、または６４０によって送信される信号のパワーレベルを制御するパワー制御機能６６５があってもよい。
【００８５】
機能は、基地局コントローラ６００、すなわちメモリサブシステム６５０内にあるものとして示され、コントローラプロセッサ６６０はまたモバイル交換センタ６１０において常駐することができるということは理解されることができる。同様に、基地局コントローラ６００の一部であるとして説明される機能のいくつかまたはすべては、基地局６２０、６３０、または６４０のうちの１つまたは複数において一様に常駐することができる。
【００８６】
図１０Ｂは、基地局コントローラ６００によって実行されるステップを開示するフローチャートである。遠隔局１２３、１２４（例、遠隔局ＭＳ２３）に対してチャネルを割り付けるとき、例えば遠隔局１２３がサービスをリクエストするとき、基地局６２０、６３０、６４０は、遠隔局１２３、１２４にサービス提供することを望み、そして、チャネル割り当てについて基地局コントローラ６００に対してリクエストメッセージを送る。コントローラプロセッサ６６０は、データバス６７０を介してステップ６０２でリクエストメッセージを受信すると、新しい接続が必要かを決定する。回答がＮＯである場合には、本方法は、開始ブロック６０１に戻り、上記のステップが繰り返される。回答がＹＥＳであるとき、新しい接続セットアップがイニシエートされる。ブロック６０３では、使用されていないチャネル（すなわち、いずれのチャネル周波数のための使用されていないタイムスロット）があるかどうかという決定が行われる。使用されるまたは使用されていないチャネル周波数上で使用されていないタイムスロットがある場合には、新しいタイムスロットは、ブロック６０４で割り付けられる。本方法は、開始ブロック６０１に戻り、上記のステップが繰り返される。
【００８７】
他方で、コントローラプロセッサ６６０は、いずれのチャネル周波数上で使用されていないタイムスロットがないと決定する場合には、それは使用されたタイムスロットを選択する。図１０Ｂのステップ６０５を参照する。選択は、例えばタイムスロットの現在の使用のような基準に関する情報を得るために、メモリサブシステム６５０または他のメモリ６８５にアクセスすること、そして、遠隔局１２３、１２４の両方またはそのうちの１つのみがＤＡＲＰイネーブルであるかどうか、に基づくことができる。コントローラプロセッサ６６０は、使用されたタイムスロットを選択し、タイムスロットのためのトレーニングシーケンスコードを選択する。図１０Ｂのステップ６０６を参照する。タイムスロットが既に使用されるので、これは、そのタイムスロットについて選択される第２のトレーニングシーケンスとなるであろう。
【００８８】
タイムスロットを選択するための基準を適用するために、コントローラプロセッサ６６０は、データバス６７０を介してメモリ６５０にアクセスし、または、他のメモリ６８５にアクセスし、情報、例えばトレーニングシーケンスまたはタイムスロット、または両方の現在の割り付けと、遠隔局１２３、１２４がＤＡＲＰ機能を有するかどうかについての情報を得る。コントローラプロセッサ６６０は、コマンド（６６１または６６３）を生成し、チャネル周波数、タイムスロット、そしてトレーニングシーケンスを遠隔局１２３に割り当てるために基地局６２０に対してコマンド（６６２または６６４）を送る。本方法は、開始ブロック６０１に戻り、上記のステップが繰り返される。
【００８９】
添付図面の図１１は、基地局６２０、９２０における信号のフローを示す。基地局コントローラインターフェース９２１は、通信リンク９５０を介して、基地局コントローラ６００と通信する。通信リンク９５０は、例えばデータケーブルまたはＲＦリンクであってもよい。コントローラプロセッサ９６０は、データバス９７０を介して、受信機コンポーネント９２２、９２３及び９２４と送信機コンポーネント９２７、９２８及び９２９と通信し制御する。コントローラプロセッサ９６０は、データバス９８０を介して、ＢＳＣインタフェース９２１と通信する。データバス９７０は、１つのバスだけまたはいくつかのバスを備えることができ、部分的にあるいは全体的に双方向であることができる。データバス９７０および９８０は、同じバスであることができる。
【００９０】
一例では、チャネルのグラントをリクエストしているメッセージは、基地局アンテナ９２５における、符号化された、変調された、ラディエートされた信号において、遠隔局１２３、１２３から受信され、そして、デュプレクサスイッチ９２６に対して入力される。信号は、信号を条件づける受信機フロントエンド９２４に対してデュプレクサスイッチ９２６の受信ポートから受け渡す（例えば、ダウンコンバートすること、フィルタにかけること、そして増幅することによって）。受信機復調器９２３は、条件づけられた信号を復調し、復調された信号を復号しデインタリーブするチャネル復号器およびデインタリーバ９２２に対して、復調された信号を出力し、そして、コントローラプロセッサ９６０に対して結果として生じるデータを出力する。コントローラプロセッサ９６０は、結果として生じるデータから、チャネルのグラントをリクエストするメッセージを導出する。コントローラプロセッサ９６０は、基地局コントローラ６００に対して、基地局コントローラインターフェース９２１を介して、メッセージを送る。基地局コントローラ６００は、モバイル交換センタ６１０と一緒に(together)または自立的に(autonomously)、遠隔局２３、２４に対してチャネルをグラントするように、またはグラントしないように、作用する。
【００９１】
基地局コントローラ６００は、アクセスグラントコマンド、および遠隔局１２３、１２４についての他のデジタル通信信号またはトラヒック、例えば割り当てメッセージ、を生成し、そして通信リンク９５０を介してＢＳＣインタフェース９２１に対して送信する。その後で、信号は、コントローラプロセッサ９６０に対して、データバス９８０を介して、送られる。コントローラプロセッサ９６０は、符号器及びインタリーバ９２９に対して遠隔局１２３、１２４についての信号を出力し、符号化されインタリーブされる信号は、送信機変調器９２８へと受け渡される。送信機変調器９２８に対して入力されるいくつかの信号があり、各信号は遠隔局１２３、１２４用であるということは図１１からわかる。これらのいくつかの信号は、図１１で示されるＩ及びＱコンポーネントを有する組み合わせられた変調信号を提供するために送信機変調器９２８内で組み合わせられることができる。しかしながら、いくつかの信号の組み合わせは、フロントエンドモジュール９２７内のポスト変調、及びまたは、送信チェイン内の他のステージにおいて、代替的に実行されることができる。変調された組み合わせられた信号は、送信機フロントエンド９２７から出力され、デュプレクサスイッチ９２６の送信ポートに対して入力される。信号は、送信のためにアンテナ９２５に対して、デュプレクサスイッチ９２６の共通またはアンテナポートを介して出力される。
【００９２】
別の例では、チャネルのグラントをリクエストしている第２の遠隔局１２３、１２４からの第２のメッセージは、基地局アンテナ９２５における第２の受信信号において受信される。第２の受信信号は上述されるように処理され、チャネルのグラントのためのリクエストは、基地局コントローラ６００に対して、処理される第２の受信信号において送られる。
【００９３】
基地局コントローラ６００は、上述されているように第２のアクセスグラントメッセージを生成し、基地局６２０、９２０に対して送信し、基地局６２０、９２０は、遠隔局１２３、１２４のために、上述されているように、第２のアクセスグラントメッセージを備えている信号を送信する。
【００９４】
添付図面の図１２は、セルラ通信システム１００の本方法および装置の基地局コントローラ（ＢＳＣ）内で常駐するかもしれないメモリサブシステム６５０内のデータストレージの配列の例を示す。図１２の表１００１は、遠隔局１２３−１２７に割り当てられたチャネル周波数の値の表であり、遠隔局１２３−１２７は番号付けられている。表１００２は、タイムスロットの値の表であり、遠隔局数１２３−１２７は、タイムスロット数に対して示されている。タイムスロット番号３は、遠隔局１２３、１２４および２２９に対して割り当てられていることが理解されることができる。同様に、表１００３は、遠隔局１２３−１２７に対して、トレーニングシーケンス（ＴＳＣ）を割り付けるデータの表を示す。
【００９５】
図１２の表１００５は、説明される表１００１、１００２、および１００３に示されるパラメータのすべてを含むマルチ次元である拡大されたデータの表を示す。図１２で示される表１００４の部分は、使用されるであろう完成した表の小さな部分のみであるということは理解されるであろう。表１００５は、さらに、周波数割り付けセットの割り付けを示しており、各周波数割り付けセットは、セルの特定セクタにおいてまたはセルにおいて使用される１セットの周波数に対応する。表１００５では、周波数割り付けセットｆ１は、図１２の表１００５で示される、すべての遠隔局１２３−１２７に割り当てられる。表１００５の他の部分は、示されていないが、他の遠隔局１２３−１２７に対して割り当てられる周波数割り付けセットｆ２、ｆ３などを示すということは理解される。データの行４は、値を示していないが、繰り返されたドット(repeated dots)を示し、それは、表１００１におけるデータの行３と行５との間で示されていない多くの可能性のある値があるということを示している。位相シフト(Phase Shift)
基地局１１０、１１１、１１４によって送信された２つの信号のための変調の絶対位相は同一ではなくてもよい。同じチャネル（ｃｏ−ＴＣＨ）を使用して追加ユーザにサービス提供するために、さらには、１以上のＴＳＣを提供するために、ネットワークは、新しい共通チャネル（ｃｏ−ＴＣＨ）の遠隔局のＲＦ信号のシンボルを、既存のｃｏ−ＴＣＨ遠隔局（単数または複数）に対して、位相シフトすることができる。可能であれば、ネットワークは、公平に分配される空間位相シフトで、それらを制御することができ、したがって、受信機性能を改善する。例えば、２人のユーザのためのキャリア周波数の位相シフト（特定のＡＲＦＣＮを有する）であれば９０度、３人のユーザであれば６０度となる。４人のユーザのためのキャリアの位相シフト（ＡＲＦＣＮ）は、４５度となる。上述されるように、ユーザは、異なるＴＳＣを使用する。本方法および装置の各さらなるＭＳ１２３−１２７は、異なるＴＳＣを割り当てられ、自身のトラヒックデータを得るために自身のＴＳＣとＤＡＲＰ特徴を使用する。
【００９６】
したがって、改善されるＤＡＲＰ性能の場合、２つの異なるモバイル局（遠隔局）１２３、１２４について意図される２つの信号は、チャネルインパルス応答についてπ／２だけ理想的に位相シフトされることができるが、これよりも少なくても、適切な性能を提供するであろう。
【００９７】
第１および第２の遠隔局１２３、１２４は、同じチャネル（すなわち、同じチャネル周波数上の同じタイムスロット）を割り当てられるとき、信号は、２つの遠隔局１２３、１２３に対して好ましく送信されることができるので（前に説明されているように異なるトレーニングシーケンスを使用して）、変調器９２８は、互いに９０度位相シフトで２つの信号を変調する、したがって、さらに位相ダイバーシティに起因して信号間の干渉を減らす。例えば、変調器９２８から出現しているＩ及びＱサンプルは、それぞれ、２つの信号のうちの１つを表すことができ、信号は、９０度位相によって分離される。したがって、変調器９２８は、２つの遠隔局１２３、１２４のための信号間の位相差を導入する。
【００９８】
同じチャネルを共有しているいくつかの遠隔局１２３、１２４の場合、マルチプルセットのＩ及びＱサンプルは、異なるオフセットで生成されることができる。例えば、同じチャネル上に第３の遠隔局１２３、１２４についての第３の信号がある場合には、変調器９２８は、第１の信号の位相に対して第２の信号と第３の信号については好ましくは６０度と１２０度の位相シフトを導入し、結果として生じるＩ及びＱサンプルは、すべての３つの信号を表している。例えば、Ｉ及びＱサンプルは、３つの信号のベクトル和を表わすことができる。
【００９９】
このような方法で、送信機変調器９２８は、異なる遠隔局１２３、１２４に意図される、同じ周波数上で同じタイムスロットを使用している同時期に起こっている信号間で位相差を導入するために、基地局６２０、９２０における手段を提供する。例えば、別々の信号は、変調器９２８において生成されることができ、結果として生じるアナログ信号は、位相シフトエレメントを通じてそれらのうちの１つを受け渡し、そのあとで、位相シフトされた信号と位相シフトされない信号を単に加算することによって、送信機フロントエンド９２７において組み合わせられることができる。パワー制御の態様(Power Control Aspects)
下記の表２は、チャネル周波数、タイムスロット、トレーニングシーケンス、および図５で示されている２つの基地局１１０および１１４によって送信され遠隔局１２３−１２７によって受信される信号の受信信号パワーレベル、の値の例を示す。
【表２】
2014140232.tif 000004
【０１００】
表２の行３と行４は、太い長方形で囲まれており、インデクス３２を有するチャネル周波数を使用して、そして、基地局１１４から信号を受信するためにタイムスロット３を使用して、しかしながら、それぞれ異なるトレーニングシーケンスＴＳＣ２とＴＳＣ３を割り付けられて、遠隔局１２３と遠隔局１２４の両方を示す。同様に行９と行１０はまた、同じ基地局１１０から信号を受信するために、２つの遠隔局１２５、１２７に使用されている、同じチャネル周波数とタイムスロットを示す。各ケースにおいて、遠隔局１２５、１２７の欲される信号の受信パワーレベルは、２つの遠隔局１２５、１２７について実質的には異なるということがわかる。表３の強調された行３と行４は、基地局１１４が遠隔局１２３のための信号を送信し、また遠隔局１２４のための信号を送信するということを示す。遠隔局１２３における受信パワーレベルは−６７ｄＢｍであるが、遠隔局１２４における受信パワーレベルは−１０２ｄＢｍである。表３の行９と行１０は、基地局１１０が遠隔局１２５のための信号を送信し、また、遠隔局１２７のための信号を送信するということを示す。遠隔局１２５における受信パワーレベルは−１０１ｄＢｍであるが、遠隔局１２７における受信パワーレベルは−５７ｄＢｍである。パワーレベルにおける大きな差は、各ケースにおいて、基地局１１０からの遠隔局１２５、１２７の異なる距離に起因することができる。あるいは、信号を送信している基地局と信号を受信している遠隔局との間のパワーレベルにおける差は、信号の異なる量のマルチパスキャンセルまたは異なるパスロスに起因することができ、なお、ある遠隔局は他の遠隔局と比較される。
【０１０１】
他の遠隔局と比較して１つの遠隔局についての受信パワーレベルにおけるこの差異は意図的でないまたはセルプラニングの理想でないにも関らず、本方法および装置のオペレーションを譲歩しない(does not compromise)。
【０１０２】
ＤＡＲＰ機能を有している遠隔局１２３−１２７は、２つの信号の振幅またはパワーレベルが遠隔局１２３−１２７アンテナにおいて類似しているかぎり、２つの共通チャネルで同時期に受信した信号のうちの１つを復調することに成功する。このことは、信号が両方とも同じ基地局１１０、１１１、１１４によって送信され、そして（１以上のアンテナ、例えば信号あたり１つ、を有することができた）、２つの送信される信号のパワーレベルが実質的に同じである場合に達成可能である、というのは、各遠隔局１２３−１２７は、実質的に同じパワーレベルで（互いに６ｄＢ内とする）２つの信号を受信する。送信されたパワーは、基地局１１０、１１１、１１４が同様なパワーレベルで２つの信号を送信するように配置される、または、基地局１１０、１１１、１１４が固定パワーレベルで両方の信号を送信する、のいずれかである場合、同じである。このシチュエーションは、さらに表２を参照すること、参照表３によって説明されることができる。
【０１０３】
表２は、実質的に異なるパワーレベルを有している信号を基地局１１４から受信している遠隔局１２３、１２４を示しており、よく見ると、表２の行３と行５によって示されているように、遠隔局１２３は、同じパワーレベル（−６７ｄＢ）で基地局１１４から２つの信号を受信し、１つの信号は遠隔局１２３について意図される欲される信号であり、他の信号は、遠隔局１２４について意図される欲されない信号である。したがって、同様なパワーレベルを有する信号を受信する遠隔局１２３−１２７のための基準は、この例において満たされているものとして示されている。モバイル局１２３がＤＡＲＰ受信機を有する場合、この例では、それは、結果、欲される信号を復調し、欲されない信号を拒絶する。
【０１０４】
同様に、表２（上記）の行４と行６を調べることによって、遠隔局１２４は、同じチャネルを共有し、同じパワーレベル（−１０２ｄＢｍ）を有している２つの信号を受信するということがわかる。両方の信号は、基地局１１４からである。２つの信号のうちの１つが遠隔局１２４にとって欲される信号であり、もう一方の信号は、遠隔局１２３によって使用することが意図される欲されない信号である。
【０１０５】
上記の概念をさらに図示するために、表３は、表２の変更版であり、表２の行が単に再順序づけられている。遠隔局１２３および１２４はそれぞれ、同じチャネルと同様なパワーレベルを有している、２つの信号、欲される信号と欲されない信号を１つの基地局１１４から受信するということがわかる。また、遠隔局１２５は、同じチャネルと同様なパワーレベルを有する、２つの信号、すなわち欲される信号及び欲されない信号を２つの異なる基地局１１０、１１４から受信する。
【表３】
2014140232.tif 000005
【０１０６】
上記で説明される装置及び方法は、シミュレートされており、本方法は、ＧＳＭシステムにおいてよく機能することがわかっている。上記で記載され、図８Ａ、８Ｂ、１０Ａ、１１、および１２で示される装置は、例えばＧＳＭシステムの基地局１１０、１１１、１１４の一部であることができる。
【０１０７】
本方法及び本装置の別の態様によると、基地局１１０、１１１、１１４が、同じチャネルを使用して遠隔局１２３−１２７で呼び出しを保持することが可能であるので、第１の遠隔局１２３−１２７は、ＤＡＲＰイネーブル受信機を有し、第２の遠隔局１２３−１２７は、ＤＡＲＰイネーブル受信機を有していない。２つの遠隔局１２４−１２７によって受信される信号の振幅は、値の範囲内にある量だけ、一例では８ｄＢから１０ｄＢの間、異なるように配置されており、また、ＤＡＲＰイネーブル遠隔局について意図される信号の振幅は、非ＤＡＲＰイネーブル遠隔局１２４−１２７について意図される信号の振幅よりも低いように配置される。
【０１０８】
ＭＵＲＯＳまたは非ＭＵＲＯＳモバイルは、その欲されていない信号を干渉として扱うことができる。しかしながら、ＭＵＲＯＳの場合、両方の信号は、セルにおいて、欲される信号として扱われることができる。ＭＵＲＯＳイネーブルネットワーク（例、ＢＳ及びＢＳＣ）を備えた利点は、ＢＳ１１０、１１１、１１４は、両方の信号が望ましい信号として扱われることができるように、１つだけの代わりに、タイムスロットあたり２以上のトレーニングシーケンスを使用することができるということである。ＢＳ１１０、１１１、１１４は、本方法および本装置の各モバイルが十分に高い振幅でそれ自体の信号を受信するように適切な振幅で信号を送信し、そして、２つの信号は、２つのトレーニングシーケンスに対応する２つの信号が検出されることができるように振幅の比を維持する。この特性は、ＢＳ１１０、１１１、１１４あるいはＢＳＣ６００におけるメモリに保存されたソフトウェアを使用してインプリメントされることができる。例えば、ＭＳ１２３-１２７は、それらのパスロスに基づいて、既存のトラヒックチャネル使用可能性に基づいて、ペアリングするために選択される。しかしながら、あるモバイルのためのパスロスが他のモバイル１２３−１２７のためのパスロスとは異なる場合、ＭＵＲＯＳはまだ機能することができる。このことは、１つのモバイル１２３−１２７がＢＳ１１０、１１１、１１４からさらに離れているときに、生じうる。
【０１０９】
パワー制御に関して、異なる組み合わせのペアがある。ＭＳ１２３−１２７の両方は、ＤＡＲＰ対応または１つのＤＡＲＰのみ対応であることができる。両方の場合、モバイル１２３−１２７における受信された振幅またはパワーレベルは、互いに１０ｄＢ内にあってもよく、同様なことがＭＳ２にも言える。しかしながら、１つのＭＳのみがＤＡＲＰ対応である場合には、さらなる制約は、第２の信号よりも高いそれの欲される（または望ましい）第１の信号を非ＤＡＲＰモバイル１２３−１２７が有するということである（一例では、第２信号より少なくとも８ｄＢ高い）。ＤＡＲＰ対応モバイル１２３−１２７は、その第２の信号を、第１の信号より下回るより低いしきい値以上で（一例では、１０ｄＢ以上）、受信する。したがって、一例では、振幅比は、ＤＡＲＰ／ＤＡＲＰ対応の遠隔局１２３−１２７については０ｄＢから±１０ｄＢ、または、非ＤＡＲＰモバイルを支持して、非ＤＡＲＰ／ＤＡＲＰについては８ｄＢから１０ｄＢ高い信号であることができる。また、各ＭＳ１２３−１２７がそのセンシティビティリミットより上でその望ましい信号を受信するように、ＢＳ１１０、１１１、１１４が２つの信号を送信することが好ましい（一例では、それは、少なくとも６ｄＢセンシティビティリミットより上である）。１つのＭＳ１２３−１２７がより多くのパスロスを有する場合には、ＢＳ１１０、１１１、１１４は、これを達成するのに適切な振幅で、そのＭＳの信号を送信する。これは絶対振幅を設定する。他の信号からの差は、他の信号の絶対振幅を決定する。
【０１１０】
添付図面の図１３は、ＤＡＲＰ特性を有する本方法と本装置の遠隔局１２３−１２７のための例示的な受信機アーキテクチャを示す。一例では、受信機は、単一アンテナ干渉キャンセル(single antenna interference cancellation)(ＳＡＩＣ)等化器１１０５または最大尤度シーケンス推定器(maximum likelihood sequence estimator)(ＭＬＳＥ)等化器１１０６のいずれかを使用するように適応される。他のプロトコルをインプリメントする他の等化器もまた、使用されることができる。同様な振幅を有する２つの信号が受信されるとき、ＳＡＩＣ等化器が使用に好まれる。ＭＬＳＥ等化器は、受信される信号の振幅が類似でないとき、例えば欲される信号が欲されない共通チャネル信号のものよりも大きい振幅を有するとき、一般的に使用される。
【０１１１】
添付図面の図１４は、２つの遠隔局１２３−１２７に対して同じチャネルを割り当てるように適合されるＧＳＭシステムの部分の簡略図を示す。システムは、基地局トランシーバサブシステム（ＢＴＳ）、または基地局１１０、そして２つの遠隔局、モバイル局１２５及び１２７を備える。ネットワークは、２つの遠隔局１２５及び１２７に対して、同じチャネル周波数と同じタイムスロットを、基地局トランシーバサブシステム１１０を介して、割り当てることができる。ネットワークは、２つの遠隔局１２５および１２７に対して、異なるトレーニングシーケンスを割り付ける。遠隔局１２５および１２７は、両方とも、モバイル局であり、両方とも、１６０に等しいＡＲＦＣＮを有するチャネル周波数と３に等しいタイムスロットインデクス数ＴＳを備えたタイムスロットを割り当てられる。遠隔局１２５は、ＴＳＣ５にトレーニングシーケンスを割り当てられ、１２７は、ＴＳＣ０にトレーニングシーケンスを割り当てられる。各遠隔局１２５、１２７は、それ自体の信号（図の中で実線で示される）を、他の遠隔局１２５、１２７について意図される信号（図の中で点線で示される）と一緒に、受信するであろう。各遠隔局１２５、１２７は、欲されていない信号を拒絶しながらそれ自体の信号を復調することができる。
【０１１２】
上述されているように、本方法と装置にしたがって、単一の基地局１１０、１１１、１１４は、第１の信号と第２の信号を送信することができ、第１および第２の遠隔局１２３−１２７のための信号であり、各信号は同じチャネル上で送信され、各信号は異なるトレーニングシーケンスを有する。ＤＡＲＰ機能を有する第１の遠隔局１２３−１２７は、第１の信号の振幅と第２の信号の振幅が互いに例えば実質的に１０ｄＢ内にあるとき、トレーニングシーケンスを使用し、第２の信号と第１の信号を区別すること、そして、第１の信号を復調し使用することができる。
【０１１３】
要約すると、図１４は、ネットワークは２つのモバイル局に対して同じ物理リソースを割り当てるが、それらに対して異なるトレーニングシーケンスを割り付けるということを示す。各モバイルは、それ自体の信号（図１４で実線で示されている）と、他のco-TCHユーザについて意図されているもの（図１４で点線で示されている）と、を受信するであろう。ダウンリンク上で、各モバイル局は、ＣＣＩとして他のモバイル局について意図される信号を考慮し、干渉を拒絶するであろう。したがって、２つの異なるトレーニングシーケンスは、別のＭＵＲＯＳユーザからの干渉を抑制するために使用されることができる。ＭＳのペアリング(Pairing of MSs)
どのように本方法と本装置がインプリメントされるかにしたがって、特定ＢＳに接続されるＭＳのどれがＭＵＲＯＳクラスマークの無線アクセス機能に返信することなくＭＵＲＯＳ対応であるかを識別するのに有用であることができる（ＭＵＲＯＳ ＵＥとレガシＵＥをペアにすることが望ましいので）。ＢＳが、ＭＳのＤＡＲＰ機能を、ＭＳのクラスマークをリクエストすることによって、識別することができるということが可能である。クラスマークは、MSからＢＳに対するその機能の通知(declaration)である。これは、ＧＥＲＡＮ基準のＴＳ１０．５．１．５−７の２４．００８で説明されている。現在、規格は、ＭＳのＤＡＲＰ機能を示すクラスマースを規定しているが、今のところ、ＭＵＲＯＳクラスマークなしを規定しており、または、新しいトレーニングシーケンスクラスマークをサポートすることが規定されている。したがって、レガシＭＳのためのクラスマークを使用してＭＳがＭＵＲＯＳ対応であるかを識別することは可能ではない。さらに、規格におけるＤＡＲＰクラスマークの定義にも関らず、規格は、ＢＳにその機能を通知するためにＢＳに対してクラスマークをＭＳが送ることを必要としない。実際、多くの製造業者は、ＭＳが、ＢＳによってよりノイズのあるチャネルに自動的に割り当てられ、結果、そのＭＳからの通信を潜在的に劣化させるということを恐れて、呼び出しセットアッププロシージャ上でＢＳに対してＤＡＲＰクラスマークを送るようにそれらのＤＡＲＰ対応のＭＳを設計しない。したがって、ＭＳがＭＵＲＯＳ対応またはＤＡＲＰ対応であったとしても、いずれの確実性(certaininty)と識別することは現在可能ではない。レガシＭＳがＭＵＲＯＳオペレーションにおいて役目を果たさせることが望ましい、というのも、それらはそれを行う機能があるからである。現在の課題は、それをサポートするシグナリングがないことである。
【０１１４】
理論上、ＢＳが、ＭＳの国際モバイル機器アイデンティティ(International Mobile Equipment Identity)（ＩＭＥＩ）に基づいて、ＭＳにおけるＭＵＲＯＳ機能を識別することが可能であるであろう。ＢＳは、ＭＳから直接それをリクエストすることによって、ＭＳのＩＭＥＩを確立することができる。ＩＭＥＩはＭＳに対して固有であり、ネットワークのどこででも位置されるデータベースを参照するために使用されることができ、結果、ＭＳが属するモバイル電話のモデル、さらには、ＤＡＲＰおよびＭＵＲＯＳのような機能、を識別する。電話がＤＡＲＰまたはＭＵＲＯＳ対応である場合には、ＢＳによって、別の適切なＭＳとスロットを共有するための候補として考慮されるであろう。しかしながら、ＩＭＥＩを使用することは理論的には可能だが、ＤＡＲＰまたはＭＵＲＯＳ機能単独では、別のＭＳとＴＤＭＡスロットを特定ＭＳが共有することができるかどうかを決定するのに、十分な基準ではない。オペレーションにおいて、ＢＳは、ＤＡＲＰまたはＭＵＲＯＳ対応であるＢＳに対して現在接続されるＭＳのリストをビルドアップする。特定のスロットを共有することができるＭＳの識別情報は、他の基準を考慮する。
【０１１５】
第１に、与えられたノイズのある環境における干渉拒絶機能が確立されることができる（図３５のフローチャートのステップ１６１０参照）。このナレッジ(knowledge)は、最も適切な利用可能な共有スロットに対してＭＳを割り付けるために使用される。（図３５のフローチャートのステップ１６２０参照）。それはまた、他の候補ＭＳとのベストなペアリングを可能にするために使用される。（図３５のフローチャートのステップ１６３０参照）。ＭＳの干渉拒絶機能を決定する１つの方法は「ディスカバリバースト(discovery burst)」を送ることである。これは、ＭＳによって受信されることが望まれる信号がそれの上に重ね合わせされる既知の干渉パターンを有する、短い無線バーストである。ディスカバリバーストは、制御されるパワーレベルにおいて、重ね合わせられたＣＣＩ信号を備えたベーシックスピーチ信号を含む。ディスカバリバーストを送るとき、現在オペレーション中である呼び出しについて使用されているものに対して異なるトレーニングシーケンスが送られる。このことは、実際の音声信号からディスカバリバーストを区別する。
【０１１６】
本方法および装置の具体的なインプリメンテーションでは、ビットエラー確率（ＢＥＰ）が測定される（干渉を拒絶する遠隔局の機能を示している他のパラメータはまた、下記で説明されているように使用されることができる）。これは、ＢＳに戻って、ＭＳの周期的なレポートで送られる。ＧＥＲＡＮ規格では、ＢＥＰは、ビットエラーの確率２５％に対応している０を備えた値０−３１によって、そして、確率０．０２５％に対応している３１によって表される。言い換えると、ＢＥＰが高ければ高いほど、干渉を拒絶するＭＳの機能も大きくなる。ＢＥＰは、「高度な測定レポート(enhanced measurement report)」の一部として報告される。いったんバーストが送られると、ＭＳのＢＥＰが、つぎのレポートにおいて、与えられたしきい値より下回る場合には、ＭＳは、ＭＵＲＯＳオペレーションに不適切であると考えられる。シミュレーションでは、少なくとも２５のＢＥＰが、しきい値の有利な選択であるように示されている。ＢＥＰは、チャネル上でバーストを送ることと、ＭＳにおけるバーストにおいて生じるエラーの数を測定することによって、導出されるということに留意されたい。しかしながら、それ自体のＢＥＰは、特にバーストにわたってエラー周波数の飛躍的な変動がある場合には、ＭＳおよびチャネルの品質の測定が十分に正確でない。したがって、ＢＥＰの共分散（ＣＶＢＥＰ）を考慮に入れて、平均ＢＥＰに対してＭＵＲＯＳオペレーション決定を基づかせることが好ましい。これら２つの量は、ＭＳがＢＳに対して送るレポートに存在しているものとして、標準によって要求されている(mandated)。
【０１１７】
あるいは、決定は、１つのＳＡＣＣＨ期間（０．４８ｍｓ）の間、ＭＳによってＢＳに対して戻されるＲｘＱｕａｌパラメータに基づくことができる。ＲｘＱｕａｌは、０−７の間の値であり、各値は、多数のバーストにおけるビットエラーの推定数に対応する（３ＧＰＰ  ＴＳ  ０５．０８を参照）。これは、８つのレベルから成る受信品質の標準定義される測定値であり、受信信号のビットエラーレート（ＢＥＲ）に対応する。エラーレートが高ければ高いほど、ＲｘＱｕａｌも高くなる。シミュレーションでは、ＭＵＲＯＳオペレーションについてのしきい値の有効な選択となるように、２またはそれより低いＲｘＱｕａｌを示している。
【０１１８】
あるいは、パラメータＲｘＬｅｖは、選択基準として等しく使用されることができる。ＲＸＬＥＶは、ｄＢｍで受信される平均信号強度を示す。このことはまた、ディスカバリバーストの後で、ＭＳにレポートされるであろう。少なくとも１００ｄＢｍのＲｘＬｅｖは、有利であることが示されている。ＭＵＲＯＳペアリングについての具体的な基準が説明されているが、他の多くの基準がこれらの上記で識別されたものの代わり又は組み合わせで使用されることができるということは、当業者にとって明白であろう。アップリンク上のジョイント検出（Joint Detection on the Uplink）
本方法及び装置は、ハンドセットのＧＭＳＫ及びＤＡＲＰ機能を使用し、新しい変調方法をサポートするためにネットワークについての必要性を回避する。ネットワークは、各ユーザを分離するためにアップリンク上で既存の方法、例えばジョイント検出、を使用することができる。それは、同じ物理リソースは２つの異なるモバイルに対して割り当てられるが各モバイルは、異なるトレーニングシーケンスを割り当てられる、共通チャネル割り当てを使用する。アップリンク上で、本方法および装置の各モバイル局１２３−１２７は異なるトレーニングシーケンスを使用することができる。ネットワークは、アップリンク上で２人のユーザを分離するためにジョイント検出方法を使用することができる。新規ユーザに対するスピーチコーデックおよび距離(Speech codec and distance to new user)
他のセルへの干渉を減らすために、ＢＳ１１０、１１１、１１４は、それからの遠隔またはモバイル局の距離と比較して、そのダウンリンクパワーを制御する。ＭＳ１２３−１２７がＢＳ１１０、１１１、１１４に近いとき、ダウンリンク上でＭＳ１２３−１２７に対してＢＳ１１０、１１１、１１４によって送信されるＲＦパワーレベルは、ＢＳ１１０、１１１、１１４からさらに離れている遠隔局１２３−１２７に対してよりも、低い。共通チャネルユーザのためのパワーレベルは、同じＡＲＦＣＮおよびタイムスロットを共有するとき、離れている発呼者にとって十分に大きい。彼らは、双方とも、同じレベルのパワーを有することができるが、ネットワークが基地局１１０、１１１、１１４からの共通チャネルユーザの距離を考慮する場合、これは改善されることができる。一例では、パワーは、ダウンリンクパワーが新規ユーザ１２３−１２７について必要とされる距離および推定値を識別することによって制御されることができる。このことは、各ユーザ１２３−１２７のタイミングアドバンス（ＴＡ）パラメータを通じて行われることができる。各ユーザの１２３−１２７のＲＡＣＨは、ＢＳ１１０、１１１、１１４に対してこの情報を供給する。ユーザのための同様な距離(Similar Distances for Users)
別の新規な特徴は、現在/既存のユーザと同様な距離で新しいユーザを選ぶことである。ネットワークは、同じセル内にいて、同様な距離にいて、上記で識別される大体同じパワーレベルを必要とする、既存ユーザのトラヒックチャネル（ＴＣＨ＝ＡＲＦＣＮおよびＴＳ）を識別することができる。また、別の新規な特徴は、ネットワークがこのＴＣＨを、ＴＣＨの既存ユーザと異なるＴＳＣで、新規ユーザに対して割り当てることができるということである。スピーチコーデックの選択(Selection of Speech Codec)
別の考慮は、ＤＡＲＰ対応モバイルのＣＣＩ拒絶はどのスピーチコーデックが使用されるかによって様々である。したがって、ネットワーク（ＮＷ）は、この基準を使用することができ、そして、遠隔局１２３−１２７への距離と使用されるコーデックに応じて、異なるダウンリンクパワーレベルを割り当てる。したがって、それは、ネットワークがＢＳ１１０、１１１、１１４への同様な距離にある共通チャネルユーザを見つける場合にはより良い。このことは、ＣＣ拒絶の性能制限に起因する。１つの信号が他の信号と比べて強すぎる場合には、より弱い信号は、干渉に起因して、検出されないかもしれない。したがって、共通チャネルおよび共通タイムスロットを割り当てるとき、ネットワークは、ＢＳ１１０、１１１、１１４から新規のユーザまでの距離を考慮することができる。下記は、ネットワークが他のセルへの干渉を最小化することを実行することができるプロシージャである。ユーザダイバーシティを達成しＤＴｘをフル活用する周波数ホッピング(Frequency Hopping to Achieve User Diversity and take Full Advantage of DTx)
音声呼び出しは、ＤＴｘ(不連続送信)モードで送信されることができる。これは、割り付けられたＴＣＨバーストがスピーチなしの持続時間の間（一方が聞いている間）、静かであることができるモードである。セルにおけるすべてのＴＣＨがＤＴｘを使用するとき、その利点は、ＵＬおよびＤＬの両方上でサービングセルの全体的なパワーレベルを減らすことであり、結果、他への干渉は縮小されることができる。このことは、著しい影響を有する、というのは、通常、人々は、４０％の時間、聞いているからである。ＤＴｘ特性は、述べられている知っている利点(know benefit)を達成するためにも、ＭＵＲＯＳモードで使用されることができる。
【０１１９】
周波数ホッピングがユーザダイバーシティを確立するために使用されるときに達成されるべきＭＵＲＯＳについての余分な利点(extra benefit)がある。２人のＭＵＲＯＳユーザが一緒にペアにされるとき、両方のＭＵＲＯＳペアにされたユーザがＤＴｘ状態にあるいくつかの時間期間があることができる。これが上述されているように他のセルに対する利益であるにも関らず、ＭＵＲＯＳペアにされたユーザのいずれも互いに利益を得ない。この理由から、双方がＤＴｘ状態にあるとき、割り付けられたリソースは無駄にされる。この潜在的に役立つＤＴｘ期間を活用して、周波数ホッピングを生じさせることができるので、１グループのユーザは、各フレームベースで動的に互いにペアになる。この方法は、ＭＵＲＯＳオペレーションへとユーザダイバーシティを導入し、そして、ペアにされたＭＵＲＯＳユーザの両方がＤＴｘ状態になるという確率を減らす。さらに、それは、ＴＣＨ上に1つのＧＭＳＫを有する確率を増加させる。利点は、スピーチ信号の性能を増大させることと、ＮＷの全体的なキャパシティを最大化させること、である。
【０１２０】
そのようなケースの例は、下記のように説明されることができる：ＮＷ識別８ＭＵＲＯＳ発呼者は、同様なＲＦパワーを使用し、フルレートスピーチコーデックＡ、Ｂ、Ｃ、Ｄ、Ｔ、Ｕ、Ｖ、Ｗを使用すると仮定する。発呼者Ａ、Ｂ、Ｃ、Ｄは非周波数ホッピングであってもよい。さらに、発呼者Ａ、Ｂ、Ｃ、Ｄは、同じタイムスロット上、例えばＴＳ３にあるが、４つの異なる周波数ＡＲＦＣＮｆ１、ｆ２、ｆ３およびｆ４を使用する。発呼者Ｔ、Ｕ、Ｖ、Ｗは、周波数ホッピングである。さらに、発呼者Ｔ、Ｕ、Ｖ、Ｗは、同じタイムスロットＴＳ３上にあり、周波数ｆ１、ｆ２、ｆ３およびｆ４（ＭＡリスト）を使用する。ＨＳＮ＝０と、それぞれ、ＭＡＩＯ  ０、１、２および３を与えられたと仮定する。このことは、Ａ、Ｂ、Ｃ、Ｄが、下記の表４で示されているサイクリック形式で、Ｔ、Ｕ、Ｖ、Ｗとペアにさせる。
【表４】
2014140232.tif 000006
【０１２１】
上記は、ほんの一例である。このフォームはそれがどのように機能するかを示すために選択される。しかしながら、それは特定の配置に制限されるべきではない。ペアリングのよりランダムさが導入される場合には、それは、さらによく機能する。このことは、８人のユーザのうちのすべてを４つのＭＡリスト上の周波数ホッピングに配置し、彼らに、２人のユーザが各ＡＲＦＣＮであるという条件で、異なるＨＳＮ（上記例では、０−３）およびＭＡＩＯを与えることによって、達成されることができる。データ転送(Data Transfer)
第１の方法は、使用されているトラヒックチャネル（ＴＣＨ）をペアにする。１例では、この特性は、ネットワーク側に対して、遠隔局１２３−１２７側に対するマイナーな変更を伴って、または、変更なく、インプリメントされる。ネットワークは、異なるＴＳＣで第１の遠隔局１２３−１２７によってすでに使用されている第２の遠隔局１２３−１２７に対してＴＣＨを割り付ける。例えば、すべてのＴＣＨが使用されているとき、必要とされるいずれのさらなるサービス（単数または複数）は、同様なパワーを使用している既存のＴＣＨ（単数または複数）とペアにされるであろう。例えば、さらなるサービスが４Ｄ１Ｕデータ呼び出しである場合には、ネットワークは、さらなる新しい遠隔局１２３−１２７に対して同様なパワー必要要件で４つの連続タイムスロットを使用する、４つの既存音声呼び出しユーザを見つける。そのようなマッチングがない場合には、ネットワークは、マッチングを作るためにタイムスロットとＡＲＦＣＮを再設定することができる。その後で、ネットワークは、４Ｄ  ＴＣＨを必要とする新しいデータ呼び出しに対して４つのタイムスロットを割り当てる。新しいデータ呼び出しはまた、異なるＴＳＣを使用する。さらに、さらなるものに対するアップリンクパワーは、すでにタイムスロットを使用している遠隔局１２３−１２７のアップリンクパワーに近い、または、等しい、ように提供されることができる。１以上のＴＳＣを遠隔局１２３−１２７に割り当てる(Assign a Remote station 123-127 more than one TSC)
１以上のタイムスロットを使用するデータサービスを考慮する場合、タイムスロットのうちの、すべて（それが偶数である場合）または、１以外のすべて（それが奇数である場合）はペアにされることができる。したがって、改善されたキャパシティは、１以上のＴＳＣをＭＳ１２３−１２７に与えることにより達成されることができる。複数のＴＳＣを使用することによって、遠隔局１２３−１２７は、一例では、１つのタイムスロットへとそのペアにされたタイムスロットを組み合わせることができるので、実際のＲＦリソース割り付けは半分にカットされることができる。例えば、４ＤＬデータ転送の場合、各フレームにおけるＴＳ１、ＴＳ２、ＴＳ３およびＴＳ４において、バーストＢ１、Ｂ２、Ｂ３およびＢ４をＭＳが現在有していると仮定する。本願を使用して、Ｂ１とＢ２は１つのＴＳＣ、例えばＴＳＣ０、を割り当てられるが、Ｂ３とＢ４は異なるＴＳＣ、例えばＴＳＣ１、を有する。Ｂ１とＢ２はＴＳ１上で送信されることができ、Ｂ３とＢ４は、同じフレームにおいてＴＳ２上で送信されることができる。このように、以前の４ＤＬ割り当ては、無線で４つのバーストを送信するために、２つのタイムスロットだけを使用する。ＳＡＩＣ受信機は、ＴＳＣ０でＢ１とＢ２を、ＴＳＣ１でＢ３とＢ４を復号することができる。４つのバーストを復号するパイプライン処理は、従来のアプローチを用いて、シームレスにこの特性を機能させることができる。タイムスロットを組み合わせること(Combining Timeslots)
１つのユーザの偶数のタイムスロットを組み合わせることは、無線にわたる（ＯＴＡ）割り付けを半減させることができ、バッテリーエネルギーを節約する。このことはまた、近隣セルをスキャンする及び／またはモニタリングするための、そして、サービングセルと近隣セルの両方についてのシステム情報更新のための、さらなる時間をとりのぞく。ネットワーク側にいくつかのさらなる特徴がある。ネットワークは、新規ユーザの距離に基づいて、共通チャネル、共通タイムスロット（ｃｏ−ＴＳ）のさらなる割り当てを行う。最初に、ネットワークは、ユーザが同じ距離にいるＴＣＨを使用することができる。このことは、各ユーザのタイミングＴＡで行われることができる。各ユーザのＲＡＣＨは、ＢＳ１１０、１１１、１１４に対してこの情報を提供する。ネットワークトラヒック割り当ての変更(Changes in network traffic assignment)
上記はまた、２つの共通チャネルでＣｏ−ＴＳユーザが異なる方向へ移動する、一方はＢＳのほうへ移動し、他方はＢＳから離れて移動する場合、それらのうちの一方がパワーレベルのよりよい組み合わせ(match)を有する別のＴＣＨに切り換えるポイントがあるであろうということを意味している。このことは、問題ではない、というのは、ネットワークは、異なるＡＲＦＣＮおよびＴＳに対してユーザを連続的に再割り付けすることができるためである。いくつかのさらなる最適化、例えば使用されるべき新しいＴＳＣの選択を最適化にすることに役立つ、というのは、このことは、ローカルエリアにおける周波数再使用パターンに関連しているからである。この特性の１つの利益は、それがネットワーク側（例えばＢＳ、ＢＳＣ）に対してソフトウェア変更を主に使用するということである。ネットワークトラヒックチャネル割り当てに関する変更は、キャパシティを増加させることができる。音声とデータの両方のための共通チャネルオペレーション(Co-channel operation for both voice and data)
さらなる改良が行われることができる。第１に、Ｃｏ−ＴＣＨ（共通チャネルおよび共通タイムスロット）は、同じＴＣＨ上で、データ呼び出しに加え、音声呼び出しに使用されることができ、キャパシティデータレートを改善する。この特徴は、ＣＳ１には４、ＭＣＳ１には４．８ＰＳＫ、のようなＧＭＳＫ変調データサービスに適用されることができる。使用されるより少数のタイムスロット (Fewer Timeslots Used)
この特性は、データ呼び出しに関する共通チャネル（ｃｏ−ＴＣＨ）の再使用に適用されることができ、増加したキャパシティを達成する。データ転送の２つのタイムスロットは、対応するバーストのそれぞれにおいて使用される２つのトレーニングシーケンスで１つのタイムスロットを使用して、ペアにされ、送信されることができる。それらは、ターゲット受信機に割り当てられる。このことは、４タイムスロットダウンリンクは２タイムスロットダウンリンクに減らされることができるということを意味しており、そしてそれは、受信機のパワーと時間を節約する。４タイムスロットから２タイムスロットへと変更することは、遠隔局に、ＮＣをモニタリングするなど、他のタスクを行うより多くの時間を与え、そしてそれは、ハンドオフ、すなわちＨＯを改善するであろう。
【０１２２】
Ｔｒａ、Ｔｒｂ、Ｔｔａ、Ｔｔｂのようなマルチスロットクラス設定必要要件に関する割り当ての制約−ダイナミックおよび拡張ダイナミックモードルールは、緩和されうる。これは、セルにおける様々な発呼者からの需要をサービス提供するためにネットワークについてのより多くの選択があるということを意味する。このことは、拒絶されたサービスリクエストの数を減らす、または、最小化する。このことは、ネットワークの観点から、キャパシティとスループットを増加させる。各ユーザは、ＱｏＳを損なうことなく(without compromise of QoS)、より少ないリソースを使用することができる。より多くのユーザにサービス提供することができる。一例において、このことは、ネットワーク側に対するソフトウェアの変更としてインプリメントされることができ、遠隔局１２３−１２７は、そのＤＡＲＰ機能のトップにさらなるＴＳＣを受諾するように適応される。ネットワークトラヒックチャネル割り当てに関する変更は、キャパシティスループットを増加させることができる。ネットワークがビジーである間でさえ、アップリンクネットワークリソースを使用することは保全されることができる。パワーは、遠隔局１２３−１２７上で節約されることができる。よりよいハンドオーバ性能、データ呼び出しに割り当てているネットワークに関するより少ない制約、そして改善された性能が達成されることができる。デュアルキャリア(Dual Carrier)
本方法および装置は、さらに、性能を改善するために、デュアルキャリアで使用されることができる。データレートを改善するために、データレートを増加させるために同時に２つのＡＲＦＣＮをＭＳ（またはＵＥまたは遠隔局）が得ることができるデュアルキャリアを割り付ける３ＧＰＰ仕様がある。したがって、遠隔局はより多くのＲＦリソースを使用し、エキストラデータスループットを得て、そしてそれは、上述されている課題を強める。新しいＴＳＣ(New TSCs)
本方法および装置は、既存のＤＡＲＰ対応コンポーネントに対する改良であり、ネットワークがｃｏ−ＴＣＨ、すなわち共通チャネル（すでに使用されているＡＲＦＣＮ）と共通タイムスロット（すでに使用されているタイムスロット）を使用することができ、追加ユーザに対してサービス提供し、そして、異なる遠隔局１２３−１２７に異なるＴＳＣを割り当てることによって余分なサービスを提供する。より高度なＳＡＩＣ受信機（例えば、クァルコムのＳＡＩＣおよびｅｅＳＡＩＣ）を用いて、同じＡＲＦＣＮおよびタイムスロット上で、第３のユーザ／サービス、または、第４のユーザ／サービスでさえも、適応することが可能である。キャパシティを改善するために使用される１つの特性は、ｃｏ−ＴＣＨ上でマルチプルＴＳＣを使用することであり、すなわち、２人のユーザ／サービスが同じＴＣＨを共有する場合には、２つのＴＳＣが使用され、３人のユーザ／サービスが同じＴＣＨを共有する場合には、３つのＴＳＣが使用される。上記で開示される方法は、このＧＥＲＡＮ音声／データ呼び出しのための特性を活用するために使用されることができる。
【０１２３】
本方法および装置の１スロット上のマルチユーザについてＤＡＲＰ対応の受信機のＳＡＩＣを使用して、２つの異なるトレーニングシーケンスが同じチャネルを共有している２つの遠隔局について使用される。評価されるトレーニングシーケンスの特性は、自動相関と相互相関である。これらのうち、相互相関は、本方法および装置にとって特に役立つ。ＤＡＲＰ機能は、よい相互相関でうまく実行する。２つのトレーニングシーケンスの相互相関は、相互の直交性の測定値とみなされることができる。簡単に言えば、２つのトレーニングシーケンスがより相互に直交であればあるほど、遠隔局１２３−１２７受信機は、あるトレーニングシーケンスと他のトレーニングシーケンスと区別することがより容易となる。
【０１２４】
相互相関は、相互相関比として知られるパラメータの平均(means)によって量子化される。２つのトレーニングシーケンスが完全に相関されない場合には（現実上、決して達成されない理想的な条件）、トレーニングシーケンス間の相互相関は、無(nil)であり、２つのトレーニングシーケンスについての相互相関比はゼロ(zero)である。
【０１２５】
対照的に、２つのトレーニングシーケンスが完全に相関される場合には（共通チャネルオペレーションにとって、そして、ＤＡＲＰオペレーションにとって、最悪な条件である）、シーケンス間の相互相関は、最大化され、２つのトレーニングシーケンスについての相関比は単一であり、すなわち１と等しい。
【０１２６】
ＭＵＲＯＳ呼び出しにおいてユーザを区別するために表５で示される２つの異なる既存のトレーニングシーケンスを使用することができる。表５は、第３世代パートナーシッププロジェクト（３ＧＰＰ）標準規格設定団体によって発行され、「技術仕様第３世代パートナーシッププロジェクト；技術仕様グループＧＳＭ/ＥＤＧＥ無線アクセスネットワーク；無線パスに関する多重化および多元接続（リリース４）(Technical Specification 3rd Generation Partnership Project;Technical Specification Group GSM/EDGE Radio Access Network;Multiplexing and multiple access on the radio path (Release 4))」と題された技術仕様書３ＧＰＰ  ＴＳ  ４５．００２  Ｖ４．８．０  （２００３−０６）のセクション５．２．３で識別される既存のＧＳＭシステムのための既存の８つのトレーニングシーケンスを開示する。
【０１２７】
しかしながら、このことは、４つのペアにされたトレーニングシーケンスセットに、周波数プラニングのために８つのスタンドアロントレーニングシーケンスセットを減らすであろう、そしてそれは、周波数プラニングに対してビット制約的であることができる。したがって、本願は、ＧＥＲＡＮ仕様で定義される既存のトレーニングシーケンスと機能することができる、下記の２つの新しいセットのトレーニングシーケンスを識別する。新しいセットは直交トレーニングシーケンスのセットである。既存のトレーニングシーケンスはレガシ遠隔局に使用されることができるが、新しいセットのトレーニングシーケンスは、この新しい特性を実行することができる新しい遠隔局に使用されることができる。
【０１２８】
使用される新しいトレーニングシーケンスは、本方法および本装置のＧＳＭインプリメンテーションにおける使用にそれらを適切にする、特に有効な相関プロパティを有する。新しいシーケンスは表５で示される既存のシーケンスとペアにするために、特に選ばれる。新しいシーケンスは、下記の表６と表７においてリストされており、下記の文でより詳細に説明されている。共有しているチャネルに使用される２つのシーケンスは既存セットから選ばれる場合（下記の表５で示されている）本方法および装置は満足して動作するが、既存のトレーニングシーケンスと組み合わせたトレーニングシーケンスとして新しい補足シーケンスを規定することまたは使用することの手段によってよりよい性能が得られることができるということが決定されている。
【０１２９】
したがって、一例において、本方法と装置をＧＳＭシステムに適用して、基地局１１０、１１１、１１４は、第１のトレーニングシーケンスを有する第１の信号と、第１のトレーニングシーケンスに補足する新しいトレーニングシーケンスである第２のトレーニングシーケンスを備えている第２の信号の両方を送信する。例えば、基地局１１０、１１１、１１４は、符号ＴＳＣ０によって識別される第１のトレーニングシーケンスを有する第１の信号（表５）と、第１のトレーニングシーケンスＴＳＣ０に補足する新しいトレーニングシーケンスである、符号ＴＳＣ０’によって識別される第２のトレーニングシーケンスを備えている第２の信号（表６または表７）と、を送信する。第１のトレーニングシーケンスと第２の補足の新しいトレーニングシーケンスとの間の相関比は非常に低い。この低い相互相関の結果、ＤＡＲＰ受信機の性能は、第１のおよび第２のトレーニングシーケンスがＤＡＲＰ受信機によって同時に受信される２つの信号に使用されるときに特に好都合であることが見出される。ＤＡＲＰ受信機は、第１の信号と第２の信号とをよりよく区別することができ、第２の信号を拒絶しながら第１の信号をよりよく復調することができ、または、第１の信号を拒絶しながら第２の信号を復調することができ、そしてそれは、通信に使用するために遠隔局１２３−１２７について、２つのトレーニングシーケンスのうちのどれが割り付けられたかによって決まる。
【０１３０】
新しいシーケンスは、対応する既存のトレーニングシーケンスに対して相関されるとき、２／１６と４／１６との間の相互相関比を有する。さらなる新しいシーケンスを使用することはさらなる利点をもたらし、それによって、より多くのシーケンスが、各セルまたはセクタにおいて使用することに利用可能であり、セルプラニングに対して、より多くの柔軟性とより少ない制約を与えている。
【０１３１】
基地局１１０、１１１、１１４に対して遠隔局１２３−１２７によって送信される信号に使用されるとき、新しいトレーニングシーケンスも性能の利益を与えることができるということに留意されたい。ＤＡＲＰ機能または同様な高度性能を有する受信機を有している、基地局１１０、１１１、１１４は、それが同じチャネル上で受信する２つの信号間でよりよく区別することができ、各信号は、異なる遠隔局１２３−１２７によって送信される。呼び出しの間、基地局１１０、１１１、１１４によって送信される、呼び出しについてのダウンリンク信号と、遠隔局１２３−１２７によって送信されるアップリンク信号の両方は、一般的には、同じシーケンスを有するであろう（ＧＳＭの場合）。
【０１３２】
上述されるように、表５は、ＧＳＭシステムに使用される１セットの８つの既存トレーニングシーケンスを示す。トレーニングシーケンスは、ＴＳＣ０〜ＴＳＣ７とラベル付けされる。各トレーニングシーケンスは、２６ビット（ビット０〜ビット２５）を有する。これらのトレーニングシーケンスのすべてにおいては、トレーニングシーケンスのうち最初の５ビットと最後の５ビットは、トレーニングシーケンスにおいてどこででも、５ビットのバージョンが繰り返される。例えば、ＴＳＣ０トレーニングシーケンス（ビット２１〜２５）の５つの最上位ビットは、００１００であり、これらのビットは、ビット５〜９で繰り返される。ＴＳＣ０トレーニングシーケンス（ビット０〜４）の最下位ビットは、１０１１１であり、これらのビットはビット１６〜２０で繰り返される。この繰り返しにより、各トレーニングシーケンスに対してショートハンド数を割り当てることは、普通であり、ショートハンド数は、数が１６進数（ｈｅｘ）の形で代替的に表されることができるにも関らず、ビット５−２０を含めたもので形成されるワードの１０進数値として定義される。したがって、ＴＳＣ０についてのシリアル番号は、４７１７２の１０進法、あるいは表で示されるようにＢ８４４の１６進法（ｈｅｘ）である。
【０１３３】
表５で示されるトレーニングシーケンスは、第３世代パートナーシッププロジェクト（３ＧＰＰ）標準規格設定団体によって発行され、「技術仕様書第３世代パートナーシッププロジェクト；技術仕様グループＧＳＭ／ＥＤＧＥ無線アクセスネットワーク；無線パス上で多重および多元接続（リリース４）」と題される技術仕様書３ＧＰＰ  ＴＳ  ４５．００２  Ｖ４．８．０  （２００３−０６）のセクション５．２．３にリストされており、また第３世代パートナーシッププロジェクト（３ＧＰＰ）標準規格設定団体によって発行され、「技術仕様第３代パートナーシッププロジェクト；技術仕様グループＧＳＭ／ＥＤＧＥ無線アクセスネットワーク；無線送信及び受信（リリース４）」と題される技術仕様書３ＧＰＰ  ＴＳ  ４５．００５  Ｖ４．１８．０（２００５−１１）においてさらに説明されている。
【表５】
2014140232.tif 000007
【０１３４】
表６は、本方法および装置にしたがって使用するために、表５で示されるものに補足的な新しいトレーニングシーケンスの好ましいセットを示す。各新しいトレーニングシーケンスは、既存のトレーニングシーケンスのうちの１つと組み合わせて使用するためのものである。新しい補足的なトレーニングシーケンスは、ＴＳＣ０’〜ＴＳＣ７’とラベル付けされる。ＴＳＣ０’は、ＴＳＣ０と組み合わせで使用するためのものであり、ＴＳＣ１’は、ＴＳＣ１と組み合わせで使用するためのもの、と以下続く。本方法及び本装置に適用することにおいて、基地局１１０、１１１、１１４は、第１のトレーニングシーケンス（例えば、ＴＳＣ０）を有する第１の信号と、第１のトレーニングシーケンスに対して補足である第２のトレーニングシーケンス（例、ＴＳＣ０’）を備える第２の信号の両方を同じチャネル上で送信する。
【表６】
2014140232.tif 000008
【０１３５】
適切なプロパティを有する新しいトレーニングシーケンスのさらなるセットは、表７で示される。これらのトレーニングシーケンスは、上に説明されるような表５のそれらの対応するトレーニングシーケンスを用いて使用するためである。
【表７】
2014140232.tif 000009
【０１３６】
ペアリングが２つの共通チャネル信号について表８で示されるように使用される場合には、改善された共通チャネル拒絶性能が得られる。表８で示される各新しいトレーニングシーケンスは、表６または表７のいずれかから生じるものであることができる。
【表８】
2014140232.tif 000010
【０１３７】
あるいは、十分な性能は、下記のペアリング：表５のいずれか２つのトレーニングシーケンス；表６のいずれか２つのトレーニングシーケンス；表７のいずれか２つのトレーニングシーケンス；表５−７のうちのいずれかのいずれか２つの異なるトレーニングシーケンス、のうちのいずれかを使用することによって得られることができる。
【０１３８】
したがって、新しいトレーニングシーケンスを使用するためのステップは以下のとおりである:
ＭＵＲＯＳモードが２つユーザについてイネーブルされるとき、それらのうちの少なくとも１つは、ＭＵＲＯＳおよびＤＡＲＰ対応の遠隔局１２３−１２７であり、そしてそれは、新しいトレーニングシーケンスのナレッジを有する。
【０１３９】
機能するパターン(working pattern)は、０−０’，１−１’…，７−７’であるように選択されることができる。しかしながら、トレーニングシーケンスとその補足を使用することの他の組み合わせもまたよく機能する。例えば、１−２と１−２’は機能する。しかしながら、１−１’と２−２’のような、表５のトレーニングシーケンスおよびその補足を使用することが望ましい可能性がある。このことは、ＤＡＲＰ反復プロセスに起因しており、符号の変更に適応することができる。
【０１４０】
トレーニングシーケンスが異なることは望ましいので、相関は低い。
【０１４１】
さらなるトレーニングシーケンスを使用することは、さらなるトレーニングシーケンス符号が定義されないかぎり、遠隔局１２３−１２７側に対して、最小の、もしあれば、変更を結果としてもたらす。さらなるトレーニングシーケンスコードを使用することは、本、ｃｏ−ＴＣＨ方法および装置の改良である。
【０１４２】
遠隔局１２３−１２７への影響は次のとおりである:
新しいセットの直交トレーニングシーケンスコードを定義する。既存のトレーニングシーケンスはレガシ遠隔局に使用されることができるが、新しいセットのトレーニングシーケンスは、この新しい特徴を実行することができる新しい遠隔局１２３−１２７に使用されることができる。
【０１４３】
したがって、ＤＡＲＰ対応であることに加えて、遠隔局１２３−１２７は、新しいトレーニングシーケンスコードもサポートする。
【０１４４】
ネットワーク側への影響は次のとおりである:
ネットワークはｃｏ−ＴＣＨユーザに２つの異なるトレーニングシーケンスを割り当てる。新しいトレーニングシーケンスが定義される場合には、ネットワークは、これらを新しいトレーニングシーケンスをサポートしている遠隔局１２３−１２７に対して割り当て、そして、レガシトレーニングシーケンスをレガシ遠隔局１２３-１２７に対して割り当てることができる。
【０１４５】
図１５は、本方法で取られたステップを説明するフローチャートである。方法１５０１の開始に続いて、基地局１１０、１１１、１１４と遠隔局１２３−１２７との間で、新しい接続をセットアップするかどうかという決定がステップ１５０２で行われる。回答がＮＯである場合には、方法は、開始ブロック１５０１に戻り、上記のステップが繰り返される。回答がＹＥＳであるとき、新しい接続がセットアップされる。ブロック１５０３では、使用されていないチャネル（すなわち、いずれのチャネル周波数のための使用されていないタイムスロット）があるかどうかという決定が行われる。使用されるまたは使用されていないチャネル周波数上で使用されていないタイムスロットがある場合には、新しいタイムスロットは、ブロック１５０４において割り付けられる。方法は、開始ブロック１５０１に戻り、上記のステップが繰り返される。
【０１４６】
だんだん使用されていないタイムスロットがなくなると（すべてのタイムスロットが接続に使用されるので）、ブロック１５０３の質問に対する回答がＮＯであり、方法はブロック１５０５と移る。ブロック１５０５では、使用されたタイムスロットは、新しい接続が既存の接続と共有するために選択される。
【０１４７】
チャネル周波数上で使用されるタイムスロットは、既存接続とともに共有する新しい接続のために選択されており、新しい接続のための補足トレーニングシーケンス（スロットの現在のユーザによって使用されるトレーニングシーケンスに対して補足的である）はブロック１５０６で選択される。方法は、開始ブロック１５０１に戻り、上記のステップが繰り返される。
【０１４８】
本願で開示される方法は、図１６で図示されるＢＴＳにおけるプロセッサ９６０によって実行される、メモリ９６２において保存されるソフトウェア９６１における実行可能な命令として保存されることができる。それらはまた、ＢＳＣにおけるプロセッサによって実行される、メモリに保存されるソフトウェアにおいて実行可能な命令として保存されることができる。遠隔局１２３−１２７は、それが使用するように命じられるトレーニングシーケンスを使用する。複数の新しいセットのＴＳＣ：QCOM7+QCOM8(New Sets of TSCs: QCOM7+QCOM8)
上述されているように、２つの新しいセットのトレーニングシーケンスである、ＱＣＯＭ７＋ＱＣＯＭ８は、識別されており、ＧＳＭ仕様において識別される上記の既存のトレーニングシーケンスと機能することができる。ＱＣＯＭは、表６に対応し、ＱＣＯＭ８は表７に対応する。新しいセットのシーケンスが今後のＭＵＲＯＳオペレーションのために提案されている。ペアは以下の通りである。
【０１４９】
ＱＣＯＭ７トレーニングシーケンスとのＧＳＭ／ＥＤＧＥ仕様で識別されるトレーニングシーケンスと、ＱＣＯＭ８トレーニングシーケンスとのＧＳＭ／ＥＤＧＥ仕様で識別されるトレーニングシーケンス。
【０１５０】
２つのグループの中にはトレーニングシーケンスビットのいくつかの重複がある。両方のグループは、ＧＳＭ／ＥＤＧＥ仕様で識別されるトレーニングシーケンスとペアにされるとき、うまく機能する。上で説明されるように、ＭＵＲＯＳモードは２つのユーザにイネーブルされるとき、機能するパターンは、０−０’，１−１’…，７−７’であるように選択されることができる。
【０１５１】
表９は、新しいセットのトレーニングシーケンスとレガシトレーニングシーケンスを使用して、テストを実行するときに、使用されるパラメータのテスト設定概要である。図１７−１８は、テスト結果を含み、図１９−３４は、性能プロットである。
【表９】
2014140232.tif 000011
【０１５２】
追加トレーニングシーケンスコードを割り当てるためのシグナリング (Signaling for the Assigning of Additional Training Sequence Codes)
現在、従来技術によると、規定される８つのトレーニングシーケンスコードがあり、上記で説明されているように、これらのトレーニングシーケンスコードは、同じセル内の異なるユーザよりもむしろ、異なるセルにわたる異なるユーザ間の分離を提供するために使用される。
【０１５３】
対照的に、ＭＵＲＯＳオペレーションによると、各セルは、２つのトレーニングシーケンスの能力を有し、同じセル内の２人のユーザの分離を提供し、そして、２人のユーザのそれぞれがそれ自身の音声チャネルのための同じチャネル周波数と同じタイムスロットを共有することを可能にする。したがって、特定のタイムスロットと特定のチャネル周波数を備えている各チャネルは、同じセルにおいて２つのボイスチャネルのために使用されることができる。従来技術のシステムでは、各チャネルは、セルにおいて１つの音声チャネルについてのみ使用されることができる。ＭＵＲＯＳでは、少なくとも１つの新しいセットの８つのトレーニングシーケンスが本方法および本装置によって規定される。遠隔局１２３-１２７は、それが新しいトレーニングシーケンスセットをサポートする場合には、ネットワークに対して表示する（ＢＳ１１０、１１１、１１４を介して）。ＢＳからの既存（従来技術）のシグナリングメッセージは、遠隔局１２３−１２７に８トレーニングシーケンスのうちどれを通信リンクに使用するかを伝える、３ビットを含む。さらに、本方法および装置は、シグナリングメッセージを向上させるので、ＢＳはまた、２セットのトレーニングシーケンス（新しいセットまたは既存のセット）のうちどれを使用するかを表示するトレーニングシーケンスセット情報をシグナリングすることができる。
【０１５４】
本方法および本装置によれば、シグナリングメッセージ自体のサイズの増加なしに、遠隔局１２３−１２７に対してトレーニングシーケンスセット情報をシグナリングするためのメカニズムが定義される。本方法および本装置によれば、遠隔局１２３−１２７は、それがクラスマーク３シグナリングのようなメカニズムを介して新しいセットのトレーニングシーケンスをサポートする場合には、ネットワークに対してシグナリングする（図３６のフローチャートのステップ１７１０参照）。いったん、ネットワークが、通信チャネルのための１以上のセットのトレーニングシーケンスをサポートするということを知ると、ネットワークは、どのセットのトレーニングシーケンスを遠隔局１２３−１２７が確立されている通信チャネルに使用するものとするかを決定することができる。本方法および装置によると、チャネル記述、チャネル記述２、グループチャネル記述およびグループチャネル記述２（３ＧＰＰ  ＴＳ  ４４．０１８のセクション１０．５．２．５、１０．５．２．５ａ、１０．５．２．１４ｂ、そして１０．５．２．１４においてそれぞれ規定される）と呼ばれる既存の情報エレメントは、確立されている通信チャネルのための遠隔局１２３−１２７によって使用されるべきトレーニングシーケンスセットをシグナリングするために修正される。（図３６のフローチャートのステップ１７２０参照）。
【０１５５】
ＧＳＭシステムで使用される、先行技術のチャネル記述情報エレメント識別子（ＣＤＩＥＩ）の構造は、図３７で示されている。オクテット１．．．４は図３７の右端で示されており、ビット８．．．１は図３７の上端で示される。オクテット１では、エレメントチャネル記述情報エレメント識別子またはチャネル記述（ＩＥＩ）として知られる識別子はビット７．．．１によって形成され、そして、それがチャネル記述情報エレメントであるということを識別するために使用される。第２のオクテットは、チャネルタイプおよびＴＤＭＡオフセットエレメントと呼ばれるビット８．．．４によって５ビットのフィールドを有するチャネル記述を含む。それはチャネルタイプおよびサブチャネルを定義する。第２のオクテットはまた、ビット３．．．１によって形成されるタイムスロット数（ＴＮ）エレメントを含む。それはタイムスロット番号を示す。オクテット３は、ビット８．．．６によって形成されたトレーニングシーケンスコードを含む。ビット５は、周波数ホッピングが使用される（Ｈ＝１−＞Ｈ）または使用されていない（Ｈ＝０−＞）を示す。
【０１５６】
チャネルタイプおよびＴＤＭＡオフセットフィールドの現在の符号化は、以下のように、表１０において示される。４符号点を開示しており、各「符号点」は、５ビット符号である。
【表１０】
2014140232.tif 000012
【０１５７】
なお、ＳＤＣＣＨ／４は、ビット４とビット５（ＴＴ）が４つの１／４レートサブチャネルのうちの１つを特定する１／４レートスタンドアロン専用制御チャネルであり、ＳＡＣＣＨ／Ｃ４は、ビット４とビット５（ＴＴ）が４つの１／４レートサブチャネルのうちの１つを特定するスローな、ＳＤＣＣＨ／４  関連制御チャネルであり、ＳＤＣＣＨ／８は、ビット４とビット５とビット６（ＴＴＴ）が８つの１／８レートサブチャネルのうちの１つを特定するスタンドアロン専用制御チャネルであり、ＳＡＣＣＨ／Ｃ８は、ビット４とビット５とビット６（ＴＴＴ）が８つの１／８レートサブチャネルのうちの１つを特定するスローな、ＳＤＣＣＨ／８  関連制御チャネルであり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである。表１０にリストされている第２の符号点の場合、ビット４（Ｔ）は、２つの１／２レートサブチャネルのうちの１つを特定する。
【０１５８】
ＧＳＭシステムでは、スタンドアロンの専用制御チャネル(ＳＤＣＣＨ)は、シグナリングおよびＳＭＳ(Short Message Service)メッセージについて信頼できる接続を提供する。ＳＡＣＣＨ(スローな関連制御チャネル)はこのチャネルをサポートする。関連づけられた制御チャネル（ＡＣＣＨ）は、ユーザのトラヒックチャネル、または、専用シグナリングチャネル、に関連づけられたＧＳＭシグナリングチャネルである。２つのＡＣＣＨは、ＧＳＭ回路交換オペレーションについて定義されており、それらは、ＳＡＣＣＨとＦＡＣＣＨ（ファストな関連制御チャネル）である。セルブロードキャストチャネル（ＣＢＣＨ）は、マルチポイントに対するポイントとして知られているＳＭＳ（ショートメッセージサービス）グループの一部をサポートし、交通および天気予報のような情報に使用されるように意図されている。ＣＢＣＨはダウンリンク専用チャネルであり、ＳＤＣＣＨ（スタンドアロン専用制御チャネル）の第２サブスロットへとマッピングされる。トラヒックチャネルフルレート（ＴＣＨ／Ｆ）は、２２．８Ｋｂｐｓグロスビットレートで、双方向チャネルであり、スピーチまたは回路交換データの転送を可能にする。トラヒックチャネルハーフレート（ＴＣＨ／Ｈ）は、ＴＣＨ／Ｆのグロスビットレートを搬送する。
【０１５９】
従来技術によると、第５ビット（ビットポジション８における）は値０を常に有するということは、チャネルタイプ及びＴＤＭＡオフセットフィールドの符号化からわかる。また、表１０からわかるように、第1のエントリの場合、チャネルタイプは、フルレートトラヒックチャネルと複数の関連づけられた制御チャネルである。第２のエントリの場合、チャネルタイプは、ハーフレートトラヒックチャネルと複数の関連づけられた制御チャネルである。
【０１６０】
本方法および装置は、モバイルデバイス１２３-１２７がどのトレーニングシーケンスセット（既存／レガシセット、または新しいセット）をトラヒックチャネルに使用するかを表示するために第５ビット（ビット８）を活用する。本方法および装置の利点は、この情報の信頼性が、既存の制御メッセージと一貫しているということであり、すべての回路交換割り当てメッセージの需要に応じるために本明細書のある箇所において変更がなされる。
【０１６１】
チャネルタイプおよびＴＤＭＡオフセットフィールドの提案される新しい符号化は、下記の表１１に示されているとおりであり、そしてそれは、４つの符号点を開示し、各５ビットコードは、「符号点(code point)」である。
【表１１】
2014140232.tif 000013
【０１６２】
ビットポジション８は、本方法及び装置によると、下記のように使用するトレーニングシーケンスを表示するＳビット、と呼ばれる。S0      レガシトレーニングシーケンスセットが使用されるものとする。1      代替/新しいトレーニングシーケンスセットが使用されるものとする。
【０１６３】
遠隔局１２３−１２７は、代替／新規トレーニングシーケンスセットをサポートせず、ビットＳが１に設定される場合には、遠隔局１２３−１２７は、「チャネルモード不受諾 (channel mode unacceptable)」というコーズ(cause)で割り当て失敗(ASSIGNMENT FAILURE)を戻すものとする。
【０１６４】
チャネル記述２（図３８を参照）の場合には、この情報エレメントもマルチスロット専用チャネル割り当てに使用されるので、符号化はより複雑である。「チャネルタイプおよびＴＤＭＡオフセット」の符号点の分析は、現在使用されていない４つの符号点があるということを示す：
【表１２】
2014140232.tif 000014
【０１６５】
ＴＣＨの場合、どのＴＳＣを使用するかを定義するのに３つの符号点のみが使用され、すなわち、フルレートＴＣＨについては１つの符号点、ハーフレートＴＣＨについては２つの符号点が使用される。ＳＤＣＣＨ／４およびＳＤＣＣＨ／８チャネルは、シグナリング目的のためだけに使用され、このチャネルモードは短い持続時間（すなわち、呼び出し確立フェーズ、ＳＭＳ、呼び出し独立の補助サービス(supplementary services)（ＳＳ）、または非アクセス層(Non-Access-Stratum）(ＮＡＳ)シグナリング）を有するので、ＭＵＲＯＳが使用されることができる可能性がより少なくなる。したがって、本方法および装置は、新しいＴＳＣセットが使用されるものとするということをモバイル１２３−１２７に対してシグナリングするためにこれらの符号点のうちの３つを使用する。このことは、表１３において以下のように図示される。
【表１３】
2014140232.tif 000015
【０１６６】
表１３では、ビットポジション４におけるＴビットは、サブチャネル数がバイナリで符号化されるということを表示する。グループチャネル記述（図３８参照）とグループチャネル記述２（図３９参照）の双方の場合には、「チャネルタイプ及びＴＤＭＡオフセット」の定義は、同じである（３ＧＰＰ
ＴＳ  ４４．０１８のセクション１０．５．２．１４ｂとセクション１０．５．２．１４ｆ参照）。これらの２つのチャネル記述についての現在の符号点の使用は、下記に示されている通りである：
【表１４】
2014140232.tif 000016
【０１６７】
分析は、従来技術によると、１３の符号点はまだ使用されておらず、７の符号点が７つの可能性あるＴＣＨフォーマットをシグナリングするために使用される。本方法および装置は、新しい（ノンレガシ）ＴＳＣセットがトラヒックチャネルに使用されることとなっている場合において、下記の符号点を使用する。
【表１５】
2014140232.tif 000017
【０１６８】
表１５では、Ｔビットは、以前のように、バイナリで符号化されるサブチャネル数を示す（３ＧＰＰ  ＴＳ  ４４．０１８のセクション１０．５．２．１４ｂおよび１０．５．２．１４ｆを参照）
１つまたは複数の例示的な実施形態では、記載された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、１つまたは複数の命令あるいはコードとして、記憶されてもよく、あるいは、送信されることができる。コンピュータ可読媒体は、１つの場所から別の場所へのコンピュータプログラムの転送(transfer)を容易にするいずれの媒体も含んでいる、コンピュータ記憶媒体(computer storage media)と通信媒体(communication media)の両方を含む。記憶媒体は、汎用コンピュータまたは専用コンピュータによってアクセスされることができる、いずれの利用可能な媒体であることができる。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータ構造の形態において望ましいプログラムコード手段を保存あるいは搬送するために使用されることができる、また、汎用または専用コンピュータ、または、汎用または専用プロセッサによってアクセスされることができる、任意の他の媒体も備えることができる。また、いずれの接続(connection)もコンピュータ可読媒体(computer-readable medium)と適切に名付けられる。例えば、ソフトウェアがウェブサイト、サーバ、あるいは、同軸ケーブル、光ファイバーケーブル、ツイストペア (twisted pair)、デジタル加入者ライン(digital subscriber line)(ＤＳＬ)、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体(medium)の定義に含まれている。ここに使用されているように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)およびブルーレイディスク(blu-ray disc)を含んでおり、「ディスク(disks)」は、大抵、データを磁気で再生しているが、「ディスク(discs)」は、レーザーで光学的に再生する。上記の組み合わせはまた、コンピュータ可読媒体の範囲内に含まれるべきである。上記のものの組み合わせも、また、コンピュータ可読媒体の範囲内に含まれるべきである。
【０１６９】
ここにおいて記載される方法は、様々な手段によってインプリメントされることができる。例えば、これらの方法は、ハードウェア、ファームウェア、ソフトウェア、または、それらの組み合わせでインプリメントされることができる。ハードウェアインプリメンテーションの場合には、例えば、ＡＣＩを検出する、ＩおよびＱサンプルをフィルタにかける、ＣＣＩをキャンセルする等に使用される処理ユニットは、１つまたは複数の特定用途向け集積回路（ＡＳＩＣｓ）、デジタルシグナルプロセッサ（ＤＳＰｓ）、デジタル信号処理デバイス（ＤＳＰＤｓ）、プログラマブル論理デバイス（ＰＬＤｓ）、フィールドプログラマブルゲートアレイ（ＦＰＧＡｓ）、プロセッサ、コントローラ、マイクロコントローラ、マイクロプロセッサ、ここにおいて記載された機能を実行するように設計された他の電子デバイス、または、それらの組み合わせ、内でインプリメントされることができる。
【０１７０】
本開示の前述の説明は、いずれの当業者も本開示を作るまたは使用することを可能にするために提供される。本開示に対する様々な修正は、当業者にとっては容易に明らかであろう、そして、ここにおいて定義された包括的な原理は、本開示の精神あるいは範囲から逸脱することなく、他の変形に適用されることができる。したがって、本開示は、ここにおいて記載される例および設計に限定されるようには意図されておらず、ここに開示された原理および新規な特徴に整合する最も広い範囲が与えられるべきである。
【０１７１】
当業者は、情報と信号は、さまざまな異なる技術及び技法のうちのいずれかを使用して、表されることができるということを理解するであろう。例えば、上記の説明の全体にわたって参照されることができる、データ、命令、コマンド、情報、信号、ビット、シンボル、及びチップは、電圧、電流、電磁波、磁場あるいは磁粒子、光場あるいは光学粒子、あるいはそれらのいずれの組み合わせ、によって表わされることができる。
【０１７２】
当業者は、ここにおいて開示される実施形態に関連して説明される、様々な説明のための論理ブロック、モジュール、回路、および、アルゴリズムステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般に、それらの機能性という観点から、上記に説明されている。そのような機能性が、ハードウェアあるいはソフトウェアとしてインプリメントされるかどうかは、特定のアプリケーションと全体のシステムに課された設計制約(design constraints)に依存する。熟練職人は、各特定のアプリケーションについての様々な方法で、説明される機能性をインプリメントすることができるが、そのようなインプリメンテーションの決定は、本発明の範囲からの逸脱を生じさせるものとして解釈されるべきでない。
【０１７３】
ここで開示される実施形態に関連して説明される様々な説明のための論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、任意の従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされてもよい。
【０１７４】
ここに開示された実施形態に関して説明された方法またはアルゴリズムのステップは、直接ハードウェアにおいて、プロセッサによって実行されるソフトウェアモジュールにおいて、または２つの組み合わせにおいて、具現化されることができる。ソフトウェアモジュールは、ランダムアクセスメモリ（ＲＡＭ）メモリ、フラッシュメモリ、読み取り専用メモリ（ＲＯＭ）、電子的にプログラム可能なＲＯＭ（ＥＰＲＯＭ）、電子的に消去可能なプログラマブルＲＯＭ（ＥＥＰＲＯＭ）、レジスタ、ハードディスク、リムーバブルディスク、ＣＤ−ＲＯＭあるいは当技術分野において知られている記憶媒体のいずれの他の形態、において常駐することができる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されてもよい。プロセッサと記憶媒体は、ＡＳＩＣにおいて常駐していてもよい。ＡＳＩＣは、ユーザ端末に常駐することができる。あるいは、プロセッサと記憶媒体は、ユーザ端末において、ディスクリートコンポーネントとして存在していてもよい。
【０１７５】
したがって、本発明は、特許請求の範囲以外に限定されるべきではない。
【図１】
2014140232.tif 000018
【図２】
2014140232.tif 000019
【図３】
2014140232.tif 000020
【図４】
2014140232.tif 000021
【図５】
2014140232.tif 000022
【図６】
2014140232.tif 000023
【図７】
2014140232.tif 000024
【図８Ａ】
2014140232.tif 000025
【図８Ｂ】
2014140232.tif 000026
【図９】
2014140232.tif 000027
【図１０Ａ】
2014140232.tif 000028
【図１０Ｂ】
2014140232.tif 000029
【図１１】
2014140232.tif 000030
【図１２】
2014140232.tif 000031
【図１３】
2014140232.tif 000032
【図１４】
2014140232.tif 000033
【図１５】
2014140232.tif 000034
【図１６】
2014140232.tif 000035
【図１７】
2014140232.tif 000036
【図１８】
2014140232.tif 000037
【図１９】
2014140232.tif 000038
【図２０】
2014140232.tif 000039
【図２１】
2014140232.tif 000040
【図２２】
2014140232.tif 000041
【図２３】
2014140232.tif 000042
【図２４】
2014140232.tif 000043
【図２５】
2014140232.tif 000044
【図２６】
2014140232.tif 000045
【図２７】
2014140232.tif 000046
【図２８】
2014140232.tif 000047
【図２９】
2014140232.tif 000048
【図３０】
2014140232.tif 000049
【図３１】
2014140232.tif 000050
【図３２】
2014140232.tif 000051
【図３３】
2014140232.tif 000052
【図３４】
2014140232.tif 000053
【図３５】
2014140232.tif 000054
【図３６】
2014140232.tif 000055
【図３７】
2014140232.tif 000056
【図３８】
2014140232.tif 000057
【図３９】
2014140232.tif 000058
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
遠隔局に対してトレーニングシーケンスセット情報をシグナリングする方法であって、
新しいセットのトレーニングシーケンスがサポートされるかを表示する遠隔局からのシグナリングを受信することと、前記新しいセットの各トレーニングシーケンスは、レガシセットのトレーニングシーケンスの内のトレーニングシーケンスとは異なる、
新しいセットのトレーニングシーケンスが、前記遠隔局によりサポートされている場合、前記新しいセットの或いは前記レガシセットの複数のトレーニングシーケンスの内のいずれの１つが、確立されている通信チャネルについて前記遠隔局によって使用されるべき前記トレーニングシーケンスセットをシグナリングするためにチャネル記述を使用することと、
を備える方法。
【請求項２】
前記チャネル記述情報エレメント識別子は、チャネルタイプおよびＴＤＭＡオフセットフィールドを有する、請求項１に記載の方法。
【請求項３】
前記チャネルタイプおよびＴＤＭＡオフセットは下記のように符号化され、
Ｓ０００１  ＴＣＨ／Ｆ＋ＡＣＣＨＳ
Ｓ００１Ｔ  ＴＣＨ／Ｈ＋ＡＣＣＨＳ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは、使用する前記トレーニングシーケンスセットを表示しており、ＳＤＣＣＨ／４は、スタンドアロン専用制御チャネル／チャネル４であり、ＳＡＣＣＨ／Ｃ４は、スローな、ＳＤＣＣＨ／４  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８  関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項２に記載の方法。
【請求項４】
前記チャネルタイプおよびＴＤＭＡオフセットフィールドのビットポジション８は、使用する前記トレーニングシーケンスセットを表示する、請求項２に記載の方法。
【請求項５】
前記チャネルタイプおよびＴＤＭＡオフセットフィールドは下記のように符号化され、
１１０００  前記新しいトレーニングシーケンスセットを使用しているＴＣＨ／Ｆ＋ＡＣＣＨｓ
１１１０Ｔ  前記新しいトレーニングシーケンスセットを使用しているＴＣＨ／Ｈ＋ＡＣＣＨｓ
１１１１１  リザーブされている
なお、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項２に記載の方法。
【請求項６】
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている
なお、ＴＣＨ／ＡＦＳは、トラヒックチャネル／適応フルレートスピーチであり、ＴＣＨ／ＦＳは、トラヒックチャネル／フルレートスピーチであり、ＴＣＨ／ＨＳは、トラヒックチャネル／ハーフレートスピーチであり、ＡＣＣＨは、関連制御チャネルである、請求項２に記載の方法。
【請求項７】
前記レガシトレーニングシーケンスセットが使用されることとなる場合には前記Ｓビットは０であり、前記新しいトレーニングシーケンスセットが使用されることとなる場合には、前記Ｓビットは１である、請求項３に記載の方法。
【請求項８】
前記レガシトレーニングシーケンスセットが使用されることとなる場合には前記ビットポジション８は０であり、前記新しいトレーニングシーケンスセットが使用されることとなる場合には、前記ビットポジション８は１である、請求項４に記載の方法。
【請求項９】
遠隔局に対してトレーニングシーケンスセット情報をシグナリングする装置であって、
新しいセットのトレーニングシーケンスが、前記遠隔局によりサポートされている場合、新しいセットのトレーニングシーケンスがサポートされるかを表示する遠隔局からのシグナリングを受信するための手段と、前記新しいセットは、レガシセットのトレーニングシーケンスの内のトレーニングシーケンスとは異なる、
新しいセットのトレーニングシーケンスが、前記遠隔局によりサポートされている場合、前記新しいセットの或いは前記レガシセットのトレーニングシーケンスの内のいずれの１つが、確立されている通信チャネルについて前記遠隔局によって使用されるべき前記トレーニングシーケンスセットをシグナリングするためにチャネル記述を使用するための手段と、ここにおいて、前記チャネル記述は、チャネル記述情報エレメント識別子である、
を備える装置。
【請求項１０】
前記チャネル記述情報エレメント識別子は、チャネルタイプおよびＴＤＭＡオフセットフィールドを有する、請求項９に記載の装置。
【請求項１１】
前記チャネルタイプおよびＴＤＭＡオフセットは下記のように符号化され、
Ｓ０００１  ＴＣＨ／Ｆ＋ＡＣＣＨｓ
Ｓ００１Ｔ  ＴＣＨ／Ｈ＋ＡＣＣＨｓ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは使用する前記トレーニングシーケンスを表示しており、ＳＤＣＣＨ／４は、スタンドアロン専用制御チャネル／チャネル４であり、ＳＡＣＣＨ／Ｃ４は、スローな、ＳＤＣＣＨ／４  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８  関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項１０に記載の装置。
【請求項１２】
前記チャネルタイプおよびＴＤＭＡオフセットフィールドのビットポジション８は、使用する前記トレーニングシーケンスセットを表示する、請求項１０に記載の装置。
【請求項１３】
前記チャネルタイプおよびＴＤＭＡオフセットは下記のように符号化され、
１１０００  前記新しいトレーニングシーケンスセットを使用しているＴＣＨ／Ｆ＋ＡＣＣＨｓ
１１１０Ｔ  前記新しいトレーニングシーケンスセットを使用しているＴＣＨ／Ｈ＋ＡＣＣＨｓ
１１１１１  リザーブされている
なお、前記符号化は、使用する代替／新しいトレーニングシーケンスセットを表示しており、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項１０に記載の装置。
【請求項１４】
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている，
なお、前記符号化は、使用する新しいトレーニングシーケンスセットを表示しており、ＴＣＨ／ＡＦＳは、トラヒックチャネル／適応フルレートスピーチであり、ＴＣＨ／ＦＳは、トラヒックチャネル／フルレートスピーチであり、ＴＣＨ／ＨＳは、トラヒックチャネル／ハーフレートスピーチであり、ＡＣＣＨは、関連制御チャネルである、請求項１０に記載の装置。
【請求項１５】
前記レガシトレーニングシーケンスセットが使用されることとなる場合には前記Ｓビットは０であり、前記新しいトレーニングシーケンスセットが使用されることとなる場合には、前記Ｓビットは１である、請求項１１に記載の装置。
【請求項１６】
前記レガシトレーニングシーケンスセットが使用されることとなる場合には前記ビットポジション８は０であり、前記新しいトレーニングシーケンスセットが使用されることとなる場合には、前記ビットポジション８は１である、請求項１２に記載の装置。
【請求項１７】
コンピユータにより遂行されるときに、請求項１乃至８のいずれか１つの方法を実施する命令を備えたコンピュータ読み取り可能な記録媒体。
【請求項１８】
新しいセットのトレーニングシーケンスがサポートされるかを表示するシグナリングを送信するための手段、前記新しいセットの各トレーニングシーケンスはレガシセットのトレーニングシーケンスのトレーニングシーケンスとは異なる、
前記新しいセットの或いは前記レガシセットのトレーニングシーケンスのいずれの１つが、確立されている通信チャネルについて前記遠隔局によって使用されるべきかの表示をチャネル記述において受信するための手段、
を備える遠隔局。
【手続補正２】
【補正対象書類名】明細書
【補正対象項目名】０１７５
【補正方法】変更
【補正の内容】
【０１７５】
したがって、本発明は、特許請求の範囲以外に限定されるべきではない。
以下に本願の出願当初の請求項に記載された発明を付記する。
[Ｃ１]
遠隔局に対してトレーニングシーケンスセット情報をシグナリングする方法であって、
新しいセットのトレーニングシーケンスがサポートされるかを表示する遠隔局からのシグナリングを受信することと、
確立されている通信チャネルについて前記遠隔局によって使用されるべき前記トレーニングシーケンスセットをシグナリングするためにチャネル記述を使用することと、
を備える方法。
[Ｃ２]
前記チャネル記述は、チャネル記述情報エレメント識別子である、請求項１に記載の方法。
[Ｃ３]
前記チャネル記述情報エレメント識別子は、チャネルタイプおよびＴＤＭＡオフセットフィールドを有する、請求項２に記載の方法。
[Ｃ４]
前記チャネルタイプおよびＴＤＭＡオフセットは下記のように符号化され、
Ｓ０００１  ＴＣＨ／Ｆ＋ＡＣＣＨＳ
Ｓ００１Ｔ  ＴＣＨ／Ｈ＋ＡＣＣＨＳ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは、使用する前記トレーニングシーケンスセットを表示しており、ＳＤＣＣＨ／４は、スタンドアロン専用制御チャネル／チャネル４であり、ＳＡＣＣＨ／Ｃ４は、スローな、ＳＤＣＣＨ／４  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８  関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項３に記載の方法。
[Ｃ５]
前記チャネルタイプおよびＴＤＭＡオフセットフィールドのビットポジション８は、使用する前記トレーニングシーケンスセットを表示する、請求項３に記載の方法。
[Ｃ６]
前記チャネルタイプおよびＴＤＭＡオフセットは下記のように符号化され、
１１０００  代替／新規の前記トレーニングシーケンスセットを使用しているＴＣＨ／Ｆ＋ＡＣＣＨｓ
１１１０Ｔ  代替／新規の前記トレーニングシーケンスセットを使用しているＴＣＨ／Ｈ＋ＡＣＣＨｓ
１１１１１  リザーブされている
なお、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項３に記載の方法。
[Ｃ７]
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている
なお、ＴＣＨ／ＡＦＳは、トラヒックチャネル／適応フルレートスピーチであり、ＴＣＨ／ＦＳは、トラヒックチャネル／フルレートスピーチであり、ＴＣＨ／ＨＳは、トラヒックチャネル／ハーフレートスピーチであり、ＡＣＣＨは、関連制御チャネルである、請求項３に記載の方法。
[Ｃ８]
レガシ前記トレーニングシーケンスセットが使用されることとなる場合には前記Ｓビットは０であり、新しい前記トレーニングシーケンスセットが使用されることとなる場合には、前記Ｓビットは１である、請求項４に記載の方法。
[Ｃ９]
レガシ前記トレーニングシーケンスセットが使用されることとなる場合には前記ビットポジション８は０であり、新しい前記トレーニングシーケンスセットが使用されることとなる場合には、前記ビットポジション８は１である、請求項５に記載の方法。
[Ｃ１０]
前記符号化は、新しい前記トレーニングシーケンスセットが使用されることとなる場合には使用される、請求項６に記載の方法。
[Ｃ１１]
前記符号化は、新しい前記トレーニングシーケンスセットが使用されることとなる場合には使用される、請求項７に記載の方法。
[Ｃ１２]
遠隔局に対してトレーニングシーケンスセット情報をシグナリングする装置であって、
新しいセットのトレーニングシーケンスがサポートされるかを表示する遠隔局からのシグナリングを受信するための手段と、
確立されている通信チャネルについて前記遠隔局によって使用されるべき前記トレーニングシーケンスセットをシグナリングするためにチャネル記述を使用するための手段と、
を備える装置。
[Ｃ１３]
前記チャネル記述は、チャネル記述情報エレメント識別子である、請求項１２に記載の装置。
[Ｃ１４]
前記チャネル記述情報エレメント識別子は、チャネルタイプおよびＴＤＭＡオフセットフィールドを有する、請求項１３に記載の装置。
[Ｃ１５]
前記チャネルタイプおよびＴＤＭＡオフセットは下記のように符号化され、
Ｓ０００１  ＴＣＨ／Ｆ＋ＡＣＣＨｓ
Ｓ００１Ｔ  ＴＣＨ／Ｈ＋ＡＣＣＨｓ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは使用する前記トレーニングシーケンスを表示しており、ＳＤＣＣＨ／４は、スタンドアロン専用制御チャネル／チャネル４であり、ＳＡＣＣＨ／Ｃ４は、スローな、ＳＤＣＣＨ／４  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８  関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項１４に記載の装置。
[Ｃ１６]
前記チャネルタイプおよびＴＤＭＡオフセットフィールドのビットポジション８は、使用する前記トレーニングシーケンスセットを表示する、請求項１４に記載の装置。
[Ｃ１７]
前記チャネルタイプおよびＴＤＭＡオフセットは下記のように符号化され、
１１０００  代替／新規の前記トレーニングシーケンスセットを使用しているＴＣＨ／Ｆ＋ＡＣＣＨｓ
１１１０Ｔ  前記代替／新規トレーニングシーケンスセットを使用しているＴＣＨ／Ｈ＋ＡＣＣＨｓ
１１１１１  リザーブされている
なお、前記符号化は、使用する代替／新規トレーニングシーケンスセットを表示しており、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項１４に記載の装置。
[Ｃ１８]
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている，
なお、前記符号化は、使用する代替／新しいトレーニングシーケンスセットを表示しており、ＴＣＨ／ＡＦＳは、トラヒックチャネル／適応フルレートスピーチであり、ＴＣＨ／ＦＳは、トラヒックチャネル／フルレートスピーチであり、ＴＣＨ／ＨＳは、トラヒックチャネル／ハーフレートスピーチであり、ＡＣＣＨは、関連制御チャネルである、請求項１４に記載の装置。
[Ｃ１９]
レガシ前記トレーニングシーケンスセットが使用されることとなる場合には前記Ｓビットは０であり、新しい前記トレーニングシーケンスセットが使用されることとなる場合には、前記Ｓビットは１である、請求項１６に記載の装置。
[Ｃ２０]
レガシ前記トレーニングシーケンスセットが使用されることとなる場合には前記ビットポジション８は０であり、新しい前記トレーニングシーケンスセットが使用されることとなる場合には、前記ビットポジション８は１である、請求項１６に記載の装置。
[Ｃ２１]
前記符号化は、新しい前記トレーニングシーケンスセットが使用されることとなる場合には使用される、請求項１７に記載の装置。
[Ｃ２２]
前記符号化は、新しい前記トレーニングシーケンスセットが使用されることとなる場合には使用される、請求項１８に記載の装置。
[Ｃ２３]
基地局９２０であって、
コントローラプロセッサ９６０と、
アンテナ９２５と、
前記基地局アンテナ９２５に操作的に接続されるデュプレクサスイッチ９２６と、
前記デュプレクサスイッチ９２６に操作的に接続される受信機フロントエンド９２４と、
前記受信機フロントエンド９２４に操作的に接続される受信機復調器９２３と、
前記受信機復調器９２３と前記コントローラプロセッサ９６０とに操作的に接続されるチャネル復号器およびデインタリーバ９２２と、
前記コントローラプロセッサ９６０に操作的に接続される基地局コントローラインターフェース９２１と、
前記コントローラプロセッサ９６０に操作的に接続される符号器およびインタリーバ９２９と、
前記符号器およびインタリーバ９２９に操作的に接続される送信機変調器９２８と、
前記送信機変調器９２８に操作的に接続される、また、前記デュプレクサスイッチ９２６に操作的に接続される、送信機フロントエンドモジュール９２７と、
前記コントローラプロセッサ９６０と、前記チャネル復号器およびデインタリーバ９２２、前記受信機復調器９２３、前記受信機フロントエンド９２４、前記送信機変調器９２８、そして前記送信機フロントエンドモジュール９２７との間で、操作的に接続されるデータバス９７０と、
前記メモリ９６２において保存されるソフトウェア９６１と、
を備え、前記ソフトウェアは、遠隔局に対してトレーニングシーケンスセット情報をシグナリングする命令を備え、
新しいセットのトレーニングシーケンスがサポートされるかを表示する遠隔局からのシグナリングを受信することと、
確立されている通信チャネルについて前記遠隔局によって使用されるべき前記トレーニングシーケンスセットをシグナリングするためにチャネル記述を使用することと、
を備える、
基地局。
[Ｃ２４]
前記チャネル記述は、チャネル記述情報エレメント識別子である、請求項２３に記載の基地局。
[Ｃ２５]
前記チャネル記述情報エレメント識別子は、チャネルタイプおよびＴＤＭＡオフセットフィールドを有する、請求項２４に記載の基地局。
[Ｃ２６]
前記チャネルタイプおよびＴＤＭＡオフセットは下記のように符号化され、
Ｓ０００１  ＴＣＨ／Ｆ＋ＡＣＣＨｓ
Ｓ００１Ｔ  ＴＣＨ／Ｈ＋ＡＣＣＨｓ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは、使用するトレーニングシーケンスセットを表示し、ＳＤＣＣＨ／４は、スタンドアロン専用制御チャネル／チャネル４であり、ＳＡＣＣＨ／Ｃ４は、スローな、ＳＤＣＣＨ／４  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８  関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項２５に記載の基地局。
[Ｃ２７]
前記チャネルタイプおよびＴＤＭＡオフセットのビットポジション８は、使用する前記トレーニングシーケンスセットを表示する、請求項２５に記載の基地局。
[Ｃ２８]
前記チャネルタイプおよびＴＤＭＡオフセットは下記のように符号化され、
１１０００  代替／新規の前記トレーニングシーケンスセットを使用しているＴＣＨ／Ｆ＋ＡＣＣＨｓ
１１１０Ｔ  前記代替／新規トレーニングシーケンスセットを使用しているＴＣＨ／Ｈ＋ＡＣＣＨｓ
１１１１１  リザーブされている
なお、前記符号化は、使用する代替／新規トレーニングシーケンスセットを表示し、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項２５に記載の基地局。
[Ｃ２９]
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている
なお、前記符号化は、使用する代替／新規トレーニングシーケンスセットを表示し、ＴＣＨ／ＡＦＳは、トラヒックチャネル／適応フルレートスピーチであり、ＴＣＨ／ＦＳは、トラヒックチャネル／フルレートスピーチであり、ＴＣＨ／ＨＳは、トラヒックチャネル／ハーフレートスピーチであり、ＡＣＣＨは、関連制御チャネルである、請求項２５に記載の基地局。
[Ｃ３０]
レガシ前記トレーニングシーケンスセットが使用されることとなる場合には前記Ｓビットは０であり、新しい前記トレーニングシーケンスセットが使用されることとなる場合には、前記Ｓビットは１である、請求項２６に記載の基地局。
[Ｃ３１]
レガシ前記トレーニングシーケンスセットが使用されることとなる場合には前記ビットポジション８は０であり、新しい前記トレーニングシーケンスセットが使用されることとなる場合には、前記ビットポジション８は１である、請求項２７に記載の基地局。
[Ｃ３２]
前記符号化は、新しい前記トレーニングシーケンスセットが使用されることとなる場合には使用される、請求項２８に記載の基地局。
[Ｃ３３]
前記符号化は、新しい前記トレーニングシーケンスセットが使用されることとなる場合には使用される、請求項２９に記載の基地局。
[Ｃ３４]
コンピュータプログラムプロダクトであって、コンピュータ可読媒体を備え、前記コンピュータ可読媒体は、
コンピュータに、遠隔局に対してトレーニングシーケンスセット情報をシグナリングさせるためのコード、
を備え、
新しいセットのトレーニングシーケンスがサポートされるかを表示する遠隔局からのシグナリングを受信することと、
確立されている通信チャネルについて遠隔局によって使用されるべき前記トレーニングシーケンスセットをシグナリングするためにチャネル記述を使用することと、
を備える、
コンピュータプログラムプロダクト。
[Ｃ３５]
前記チャネル記述は、チャネル記述情報エレメント識別子である、請求項３４に記載のコンピュータプログラムプロダクト。
[Ｃ３６]
前記チャネル記述情報エレメント識別子は、チャネルタイプおよびＴＤＭＡオフセットフィールドを有する、請求項３５に記載のコンピュータプログラムプロダクト。
[Ｃ３７]
前記チャネルタイプおよびＴＤＭＡオフセットは下記のように符号化され、
Ｓ０００１  ＴＣＨ／Ｆ＋ＡＣＣＨｓ
Ｓ００１Ｔ  ＴＣＨ／Ｈ＋ＡＣＣＨｓ
Ｓ０１ＴＴ  ＳＤＣＣＨ／４＋ＳＡＣＣＨ／Ｃ４またはＣＢＣＨ（ＳＤＣＣＨ／４）
Ｓ１ＴＴＴ  ＳＤＣＣＨ／８＋ＳＡＣＣＨ／Ｃ８またはＣＢＣＨ（ＳＤＣＣＨ／８）
なお、Ｓビットは、使用する前記トレーニングシーケンスを表示し、ＳＤＣＣＨ／４は、スタンドアロン専用制御チャネル／チャネル４、ＳＡＣＣＨ／Ｃ４は、スローな、ＳＤＣＣＨ／８  関連制御チャネル／チャネル４であり、ＳＤＤＣＨ／８は、スタンドアロン専用制御チャネル／チャネル８であり、ＳＡＣＣＨ／Ｃ８は、スローな、ＳＤＣＣＨ／８
関連制御チャネル／チャネル８であり、ＡＣＣＨは、関連制御チャネルであり、ＣＢＣＨは、セルブロードキャストチャネルであり、ＴＣＨ／Ｆは、トラヒックチャネルフルレートであり、ＴＣＨ／Ｈは、トラヒックチャネルハーフレートである、請求項３６に記載のコンピュータプログラムプロダクト。
[Ｃ３８]
前記チャネルタイプおよびＴＤＭＡオフセットフィールドのビットポジション８は、使用する前記トレーニングシーケンスセットを表示する、請求項３６に記載のコンピュータプログラムプロダクト。
[Ｃ３９]
前記チャネルタイプおよびＴＤＭＡオフセットは下記のように符号化され、
１１０００  代替／新規の前記トレーニングシーケンスセットを使用しているＴＣＨ／Ｆ＋ＡＣＣＨｓ
１１１０Ｔ  前記代替／新規トレーニングシーケンスセットを使用しているＴＣＨ／Ｈ＋ＡＣＣＨｓ
１１１１１  リザーブされている
なお、前記符号化は使用されるものとする代替／新規トレーニングシーケンスセットを表示し、ＴＣＨ／Ｆは、トラヒックチャネル／フルレートであり、ＴＣＨ／Ｈは、トラヒックチャネル／ハーフレートであり、ＡＣＣＨは、関連制御チャネルである、請求項３６に記載のコンピュータプログラムプロダクト。
[Ｃ４０]
前記チャネルタイプおよびＴＤＭＡオフセットは下記のように符号化され、
０００００  ＴＣＨ／ＦＳ＋ＡＣＣＨｓ（スピーチコーデックバージョン１）
１０１０Ｔ  ＴＣＨ／ＨＳ＋ＡＣＣＨｓ（スピーチコーデックバージョン１）
１０１１０  ＴＣＨ／ＦＳ＋ＡＣＣＨｓ（スピーチコーデックバージョン２）
１０１１１  ＴＣＨ／ＡＦＳ＋ＡＣＣＨｓ（スピーチコーデックバージョン３）
１１００Ｔ  ＴＣＨ／ＡＦＳ＋ＡＣＣＨｓ（スピーチコーデックバージョン３）
１１０１０  リザーブされている
１１０１１  リザーブされている
１１１００  リザーブされている
１１１０１  リザーブされている
１１１１０  リザーブされている
１１１１１  リザーブされている
なお、前記符号化は、使用される代替／新規トレーニングシーケンスセットを表示し、TCH/AFSは、トラヒックチャネル/適応フルレートスピーチであり、TCH/FSは、トラヒックチャネルフルレートスピーチであり、TCH/HSは、トラヒックチャネルハーフレートスピーチであり、ACCHは、関連制御チャネルである、請求項３６に記載のコンピュータプログラムプロダクト。
[Ｃ４１]
レガシ前記トレーニングシーケンスセットが使用されることとなる場合には前記Ｓビットは０であり、新しい前記トレーニングシーケンスセットが使用されることとなる場合には、前記Ｓビットは１である、請求項３７に記載のコンピュータプログラムプロダクト。
[Ｃ４２]
レガシ前記トレーニングシーケンスセットが使用されることとなる場合には前記ビットポジション８は０であり、新しい前記トレーニングシーケンスセットが使用されることとなる場合には、前記ビットポジション８は１である、請求項３８に記載のコンピュータプログラムプロダクト。
[Ｃ４３]
前記符号化は、新しい前記トレーニングシーケンスセットが使用されることとなる場合には使用される、請求項３９に記載のコンピュータプログラムプロダクト。
[Ｃ４４]
前記符号化は、新しい前記トレーニングシーケンスセットが使用されることとなる場合には使用される、請求項１８に記載のコンピュータプログラムプロダクト。
【外国語明細書】
2014140232000001.pdf